(57)【要約】  本発明の実施形態は、切断される呼の防止のためのデバイス、システム及び方法を提供する。例えば、切断される呼を防止するための方法は、基地局によって実施することができる。複数の無線通信デバイスから複数の報告が受信される。それらの報告を用いて不良な受信信号を有する第１の無線通信デバイスが特定される。基地局が第２の無線通信デバイスよりも好ましい電力不均衡を第１の無線通信デバイスに与えるようにサブチャネル電力不均衡比が調整される。第２の無線通信デバイスは、第１の無線通信デバイスと対にされる。サブチャネル電力不均衡比を調整することは、第１の無線通信デバイスによる音声呼が本来であれば切断されるのを切断されないようにする。その他の態様、実施形態及び特徴も請求及び説明される。
2014511061.tif 000002
【特許請求の範囲】
【請求項１】
不良なユーザ経験及び切断される音声呼を防止するための方法であって、前記方法は、アクセスポイントによって実施され、
複数の無線通信デバイスから受信された複数の報告を用いて不良な受信信号を有する第１の無線通信デバイスを特定することと、
前記アクセスポイントが第２の無線通信デバイスよりも好ましい電力不均衡を第１の無線通信デバイスに与えるようにサブチャネル電力不均衡比を調整することであって、前記第２の無線通信デバイスは、前記第１の無線通信デバイスと対にされ、前記サブチャネル電力不均衡比を調整することは、前記第１の無線通信デバイスによる音声呼が本来であれば切断されるのを切断されないように防止する、方法。
【請求項２】
前記アクセスポイントは、１つのスロットでの適応型マルチユーザチャネルを通じての音声サービスを使用するように構成される請求項１に記載の方法。
【請求項３】
前記１つのスロットでの適応型マルチユーザチャネルを通じての音声サービスは、前記アクセスポイントが１つのスロットにおいて関連付けられた制御チャネルとともに最大で４つの送信チャネル／ハーフレートチャネルをサポートするのを可能にする請求項２に記載の方法。
【請求項４】
前記１つのスロットでの適応型マルチユーザチャネルを通じての前記音声サービスは、適応型四位相偏移変調を使用する請求項２に記載の方法。
【請求項５】
前記報告は、低速の関連付けられた制御チャネル報告である請求項１に記載の方法。
【請求項６】
前記第１の無線通信デバイスは、レガシー無線通信デバイスである請求項１に記載の方法。
【請求項７】
前記第１の無線通信デバイスは、ダウンリンクアドバンスト受信機性能無線通信デバイスである請求項１に記載の方法。
【請求項８】
前記第１の無線通信デバイスは、１つのスロットでの適応型マルチユーザチャネルを通じての音声サービスモードで動作することが許容される請求項１に記載の方法。
【請求項９】
前記第２の無線通信デバイスは、前記サブチャネル電力不均衡比の前記調整中に１つのバーストを逸する請求項１に記載の方法。
【請求項１０】
前記第１の無線通信デバイスに好ましい電力不均衡を与える前記アクセスポイントは、前記第１の無線通信デバイスに時折のランダムな好ましい電力不均衡を与えることを備える請求項１に記載の方法。
【請求項１１】
サブチャネル電力不均衡比を調整することは、前記第１の無線通信デバイスにガウス最小偏移変調を与える請求項１に記載の方法。
【請求項１２】
サブチャネル電力不均衡比を調整することは、前記第１の無線通信デバイスに好ましい適応型四位相偏移変調を与える請求項１に記載の方法。
【請求項１３】
不良なユーザ経験及び切断される音声呼を防止するための装置であって、
プロセッサと、
前記プロセッサと電子通信するメモリと、
前記メモリに格納された命令と、を備え、前記命令は、
複数の無線通信デバイスから受信された複数の報告を用いて不良な受信信号を有する第１の無線通信デバイスを特定し、及び
前記装置が第２の無線通信デバイスよりも好ましい電力不均衡を前記第１の無線通信デバイスに与えるようにサブチャネル電力不均衡比を調整するためにプロセッサによって実行可能であり、前記第２の無線通信デバイスは、前記第１の無線通信デバイスと対にされ、前記サブチャネル電力不均衡比を調整することは、前記第１の無線通信デバイスによる音声呼が本来であれば切断されるのを切断されないように防止する、装置。
【請求項１４】
前記装置は、基地局であり、前記装置は、１つのスロットでの適応型マルチユーザチャネルを通じての音声サービスを使用するように構成される請求項１３に記載の装置。
【請求項１５】
前記１つのスロットでの適応型マルチユーザチャネルを通じての音声サービスは、前記装置が１つのスロットにおいて関連付けられた制御チャネルとともに最大で４つの送信チャネル／ハーフレートチャネルをサポートするのを可能にする請求項１４に記載の装置。
【請求項１６】
前記１つのスロットでの適応型マルチユーザチャネルを通じての音声サービスは、適応型四位相偏移変調を使用する請求項１４に記載の装置。
【請求項１７】
前記報告は、低速の関連付けられた制御チャネル報告である請求項１３に記載の装置。
【請求項１８】
前記第１の無線通信デバイスは、レガシー無線通信デバイスである請求項１３に記載の装置。
【請求項１９】
前記第１の無線通信デバイスは、ダウンリンクアドバンスト受信機性能無線通信デバイスである請求項１３に記載の装置。
【請求項２０】
前記第１の無線通信デバイスは、１つのスロットでの適応型マルチユーザチャネルを通じての音声サービスモードで動作する請求項１３に記載の装置。
【請求項２１】
前記第２の無線通信デバイスは、前記サブチャネル電力不均衡比の前記調整中に１つのバーストを逸する請求項１３に記載の装置。
【請求項２２】
前記第１の無線通信デバイスに好ましい電力不均衡を与える前記装置は、前記第１の無線通信デバイスに時折のランダムな好ましい電力不均衡を与えることを備える請求項１３に記載の装置。
【請求項２３】
サブチャネル電力不均衡比を調整することは、前記第１の無線通信デバイスにガウス最小偏移変調を与える請求項１３に記載の装置。
【請求項２４】
サブチャネル電力不均衡比を調整することは、前記第１の無線通信デバイスに好ましい適応型四位相偏移変調を与える請求項１３に記載の装置。
【請求項２５】
不良なユーザ経験及び切断される音声呼を防止するための無線デバイスであって、
複数の無線通信デバイスから受信された複数の報告を用いて不良な受信信号を有する第１の無線通信デバイスを特定するための手段と、
前記無線デバイスが第２の無線通信デバイスよりも好ましい電力不均衡を前記第１の無線通信デバイスに与えるようにサブチャネル電力不均衡比を調整するための手段であって、前記第２の無線通信デバイスは、前記第１の無線通信デバイスと対にされ、前記サブチャネル電力不均衡比を調整することは、前記第１の無線通信デバイスによる音声呼が本来であれば切断されるのを切断されないように防止する手段と、を備える、無線デバイス。
【請求項２６】
前記無線デバイスは、基地局であり、前記無線デバイスは、１つのスロットでの適応型マルチユーザチャネルを通じての音声サービスを使用するように構成される請求項２５に記載の無線デバイス。
【請求項２７】
前記１つのスロットでの適応型マルチユーザチャネルを通じての音声サービスは、前記無線デバイスが１つのスロットにおいて関連付けられた制御チャネルとともに最大で４つの送信チャネル／ハーフレートチャネルをサポートするのを可能にする請求項２６に記載の無線デバイス。
【請求項２８】
前記１つのスロットでの適応型マルチユーザチャネルを通じての音声サービスは、適応型四位相偏移変調を使用する請求項２６に記載の無線デバイス。
【請求項２９】
不良なユーザ経験及び切断される音声呼を防止するためのコンピュータプログラム製品であって、前記コンピュータプログラム製品は、命令を有する非一時的なコンピュータによって読み取り可能な媒体を備え、前記命令は、
複数の無線通信デバイスから受信された複数の報告を用いて不良な受信信号を有する第１の無線通信デバイスを特定することをアクセスポイントに行わせるためのコードと、
前記基地局が第２の無線通信デバイスよりも好ましい電力不均衡を前記第１の無線通信デバイスに与えるようにサブチャネル電力不均衡比を調整することを前記アクセスポイントに行わせるためのコードであって、前記第２の無線通信デバイスは、前記第１の無線通信デバイスと対にされ、前記サブチャネル電力不均衡比を調整することは、前記第１の無線通信デバイスによる音声呼が本来であれば切断されるのを切断されないように防止するコードと、を備える、コンピュータプログラム製品。
【請求項３０】
前記アクセスポイントは、基地局であり、前記基地局は、１つのスロットでの適応型マルチユーザチャネルを通じての音声サービスを使用する請求項２９に記載のコンピュータプログラム製品。
【請求項３１】
前記１つのスロットでの適応型マルチユーザチャネルを通じての音声サービスは、前記基地局が１つのスロットにおいて関連付けられた制御チャネルとともに最大で４つの送信チャネル／ハーフレートチャネルをサポートするのを可能にする請求項３０に記載のコンピュータプログラム製品。
【請求項３２】
前記１つのスロットでの適応型マルチユーザチャネルを通じての音声サービスは、適応型四位相偏移変調を使用する請求項３０に記載のコンピュータプログラム製品。
【請求項３３】
不良なユーザ経験及び切断される音声呼を防止するために構成された装置であって、
プロセッサと、
前記プロセッサと電子通信するメモリと、
前記メモリに格納された命令と、を備え、前記命令は、
基地局によって実装された適応型四位相偏移変調／サブチャネル電力不均衡比の変化を識別し、及び
前記変化により適応型バースト処理を実施するために前記プロセッサによって実行可能である、装置。
【請求項３４】
前記装置は、無線通信デバイスである請求項３３に記載の装置。
【請求項３５】
前記適応型バースト処理は、音声呼が切断されるのを防止するビット誤り率を提供する請求項３３に記載の装置。
【請求項３６】
前記適応型バースト処理は、音声呼が切断されるのを防止するフレーム誤り率を提供する請求項３３に記載の装置。
【請求項３７】
不良なユーザ経験及び切断される音声呼を防止するための無線デバイスであって、
基地局によって実装された適応型四相位相偏移変調／サブチャネル電力不均衡比の変化を識別するための手段と、
前記変化により適応型バースト処理を実施するための手段と、を備える、無線デバイス。
【請求項３８】
前記無線デバイスは、無線通信デバイスである請求項３７に記載の無線デバイス。
【請求項３９】
前記適応型バースト処理は、音声呼が切断されるのを防止するビット誤り率を提供する請求項３８に記載の無線デバイス。
【請求項４０】
前記適応型バースト処理は、音声呼が切断されるのを防止するフレーム誤り率を提供する請求項３９に記載の無線デバイス。
【発明の詳細な説明】
【技術分野】
【０００１】
関連出願及び優先権の主張
本出願は、引用によってここに組み入れられている、“PREVENTING DROPPED CALLS USING VOICE SERVICES OVER ADAPTIVE MULTI-USER CHANNELS ON ONE SLOT(VAMOS) MODE”（１つのスロットでの適応型マルチユーザチャネルを通じての音声サービス（ＶＡＭＯＳ）モードを用いて切断呼を防止すること）に関する米国仮特許出願一連番号第６１／４４６，４０１号（出願日：２０１１年２月２４日）に関するものであり、本出願は、引用によってここに組み入れられている、“PREVENTING DROPPED CALLS USING VOICE SERVICES OVER ADAPTIVE MULT-USER CHANNELS ON ONE SLOT(VAMOS) MODE”（１つのスロットでの適応型マルチユーザチャネルを通じての音声サービス（ＶＡＭＯＳ）モードを用いて切断呼を防止すること）に関する米国仮特許出願一連番号第６１／４４６，４０１号（出願日：２０１１年２月２４日）からの優先権を主張するものである。
【０００２】
本発明の実施形態は、概して、通信システムに関するものである。より具体的には、本発明の実施形態は、１つのスロットでの適応型マルチユーザチャネルを通じての音声サービス（ｖｏｉｃｅ  ｓｅｒｖｉｃｅｓ  ｏｖｅｒ  ａｄａｐｔｉｖｅ  ｍｕｌｔ−ｕｓｅｒ  ｃｈａｎｎｅｌｓ  ｏｎ  ｏｎｅ  ｓｌｏｔ（ＶＡＭＯＳ）モードを用いて切断される呼を防止するためのシステム及び方法に関するものである。本発明の実施形態は、無線通信システム、デバイス、方法、及び通信コンポーネントのための製造品内で利用することができる。
【背景技術】
【０００３】
無線通信システムは、世界中の多くの人々が通信するようになっている上での１つの重要な通信手段となってきている。無線通信システムは、複数の加入者局のための通信を提供することができ、それらの各々は、基地局によってサービスが提供される。
【０００４】
新しい加入者局が継続的に一般大衆にリリースされている。これらの新しい加入者局は、より多くの特徴及び向上された信頼性を誇る。しかしながら、旧加入者局も引き続き消費者によって使用されている。これらの旧加入者局は、レガシーデバイスと総称することができる。これらのレガシーデバイスは無線通信システムの有料消費者によって依然として活発に使用されているため、基地局に対するアップデートが行われるのに従い、これらのレガシーデバイスの動作を考慮することができる。
【０００５】
加入者局のユーザにとっての１つの重大な懸念事項は、切断される呼の頻度である。切断される呼は、無線通信プロバイダの満足度を低下させる。レガシーデバイスを含む加入者局に関する切断呼の頻度を低減させることによって利益を実現させることができる。
【発明の概要】
【０００６】
不良なユーザ経験及び切断される音声呼（ｄｒｏｐｐｅｄ  ｖｏｉｃｅ  ｃａｌｌ）を防止するための方法が説明される。方法は、アクセスポイントによって実施される。複数の無線通信デバイスから受信された複数の報告を用いて不良な受信信号を有する第１の無線通信デバイスが特定される。アクセスポイントが第２の無線通信デバイスよりも（ｏｖｅｒ）好ましい（ｆａｖｏｒａｂｌｅ）な電力不均衡を第１の無線通信デバイスに与えるようにサブチャネル電力不均衡比（ｓｕｂ−ｃｈａｎｎｅｌ  ｐｏｗｅｒ  ｉｍｂａｌａｎｃｅ  ｒａｔｉｏ）が調整される。第２の無線通信デバイスは、第１の無線通信デバイスと対にされる。サブチャネル電力不均衡比を調整することは、第１の無線通信デバイスによる音声呼が本来であれば切断されるのを切断されないように防止する。
【０００７】
アクセスポイントは、１つのスロットでの適応型マルチユーザチャネルを通じての音声サービスを使用するように構成することができる。１つのスロットでの適応型マルチユーザチャネルを通じての音声サービスは、アクセスポイントが１つのスロットにおいて関連付けられた制御チャネルとともに最大で４つの送信チャネル／ハーフレートチャネルをサポートするのを可能にすることができる。１つのスロットでの適応型マルチユーザチャネルを通じての音声サービスは、適応型四位相偏移変調を使用することができる。報告は、低速の関連付けられた制御チャネル報告であることができる。
【０００８】
第１の無線通信デバイスは、レガシー無線通信デバイス又はダウンリンクアドバンスト受信機性能無線通信デバイスであることができる。第１の無線通信デバイスは、１つのスロットでの適応型マルチユーザチャネルを通じての音声サービスモードで動作するのを許容することができる。第２の無線通信デバイスは、サブチャネル電力不均衡比の調整中に１つのバーストを逸する（ｍｉｓｓ）ことができる。
【０００９】
第１の無線通信デバイスに好ましい電力不均衡を与えるアクセスポイントは、第１の無線通信デバイスに時折のランダムな好ましい電力不均衡を与えることを含むことができる。サブチャネル電力不均衡比を調整することは、第１の無線通信デバイスにガウス最小偏移変調を与えることができる。サブチャネル電力不均衡比を調整することは、第１の無線通信デバイスに好ましい適応型四位相偏移変調を代わりに与えることができる。
【００１０】
不良なユーザ経験及び切断される音声呼を防止するための装置も説明される。装置は、プロセッサと、プロセッサと電子通信するメモリと、メモリに格納された命令と、を含む。命令は、複数の無線通信デバイスから受信された複数の報告を用いて不良な受信信号を有する第１の無線通信デバイスを特定するためにプロセッサによって実行可能である。命令は、装置が第２の無線通信デバイスよりも好ましい電力不均衡を第１の無線通信デバイスに与えるようにサブチャネル電力不均衡比を調整するためにプロセッサによって実行することもできる。第２の無線通信デバイスは、第１の無線通信デバイスと対にされる。サブチャネル電力不均衡比を調整することは、第１の無線通信デバイスによる音声呼が本来であれば切断されるのを切断されないように防止する。
【００１１】
装置は、１つのスロットでの適応型マルチユーザチャネルを通じての音声サービスを使用するように構成された基地局であることができる。
【００１２】
不良なユーザ経験及び切断される音声呼を防止するための無線デバイスが説明される。無線デバイスは、複数の無線通信デバイスから受信された複数の報告を用いて不良な受信信号を有する第１の無線通信デバイスを特定するための手段を含む。無線デバイスは、無線デバイスが第２の無線通信デバイスよりも好ましい電力不均衡を第１の無線通信デバイスに与えるようにサブチャネル電力不均衡比を調整するための手段も含む。第２の無線通信デバイスは、第１の無線通信デバイスと対にされる。サブチャネル電力不均衡比を調整することは、第１の無線通信デバイスによる音声呼が本来であれば切断されるのを切断されないように防止する。
【００１３】
不良なユーザ経験及び切断される音声呼を防止するためのコンピュータプログラム製品も説明される。コンピュータプログラム製品は、命令を有する非一時的なコンピュータによって読み取り可能な媒体を含む。命令は、複数の無線通信デバイスから受信された複数の報告を用いて不良な受信信号を有する第１の無線通信デバイスを特定することをアクセスポイントに行わせるためのコードを含む。命令は、基地局が第２の無線通信デバイスよりも好ましい電力不均衡を第１の無線通信デバイスに与えるようにサブチャネル電力不均衡比を調整することをアクセスポイントに行わせるためのコードも含む。第２の無線通信デバイスは、第１の無線通信デバイスと対にされる。サブチャネル電力不均衡比を調整することは、第１の無線通信デバイスによる音声呼が本来であれば切断されるのを切断されないように防止する。
【００１４】
不良なユーザ経験及び切断される音声呼を防止するために構成された装置が説明される。装置は、プロセッサと、プロセッサと電子通信するメモリと、メモリに格納された命令と、を含む。命令は、基地局によって実装される適応型四位相偏移変調／サブチャネル電力不均衡比の変化を識別するためにプロセッサによって実行可能である。命令は、それらの変化により適応型バースト処理を行うためにもプロセッサによって実行可能である。
【００１５】
装置は、無線通信デバイスであることができる。適応型バースト処理は、その結果として、電話呼が切断されるのを又はエンドユーザにとって聞き取り不能な音声呼品質を提供することを防止するビット誤り率及び／又はフレーム誤り率を得ることができる。
【００１６】
不良なユーザ経験及び切断される音声呼を防止するための無線デバイスも説明される。無線デバイスは、基地局によって実装される適応型四位相偏移変調／サブチャネル電力不均衡比の変化を識別するための手段を含む。無線デバイスは、それらの変化により適応型バースト処理を行うための手段も含む。適応型バースト処理は、その結果として、電話呼が切断されるのを又はエンドユーザにとって聞き取り不能な音声呼品質を提供することを防止するビット誤り率及び／又はフレーム誤り率を得ることができる。
【００１７】
本発明の特定の典型的な実施形態に関する以下の説明を添付図と関係させて検討した時点で、本発明のその他の態様、特徴、及び実施形態が当業者にとって明らかになるであろう。本発明の特徴は、以下の幾つかの実施形態及び図に関して説明される一方で、本発明の全実施形態は、ここにおいて説明される有利な特徴のうちの１つ以上を含むことができる。換言すると、１つ以上の実施形態が幾つかの有利な特徴を有するとして説明することができる一方で、該特徴のうちの１つ以上は、ここにおいて説明される本発明の様々な実施形態により使用することもできる。同様に、典型的な実施形態がデバイス、システム、又は方法の実施形態として以下において説明される一方で、該典型的な実施形態は、様々なデバイス、システム、及び方法において実装可能であることが理解されるべきである。
【図面の簡単な説明】
【００１８】
【図１】本発明の幾つかの実施形態による、ここにおいて開示される本発明の実施形態を利用することができる無線通信システムの例を示した図である。
【図２】本発明の幾つかの実施形態による無線通信システムにおける送信機及び受信機のブロック図を示した図である。
【図３】本発明の幾つかの実施形態による受信機における受信機ユニット及び復調器の設計のブロック図を示した図である。
【図４】本発明の幾つかの実施形態によるＧＳＭでのフレーム及びバーストフォーマット例を示した図である。
【図５】本発明の幾つかの実施形態によるＧＳＭシステムにおけるスペクトル例を示した図である。
【図６】本発明の幾つかの実施形態による、送信回路（電力増幅器を含む）と、受信回路と、電力コントローラと、復号プロセッサと、信号を処理する際に使用するための処理ユニットと、メモリと、を含む無線デバイスの例を示した図である。
【図７】本発明の幾つかの実施形態による送信機構造及び／又はプロセスの例を示した図である。
【図８】本発明の幾つかの実施形態による、１つのスロットでの適応型マルチユーザチャネルを通じての音声サービス（ＶＡＭＯＳ）をサポートするために使用されるＧＥＲＡＮスタックの要素の一部を例示したブロック図である。
【図９】本発明の幾つかの実施形態による、幾つかの実施形態において１つのスロットでの適応型マルチユーザチャネルを通じての音声サービス（ＶＡＭＯＳ）を用いてタイムスロットにおいて異なる数のユーザに対してどのようにしてサービスを提供するかを例示したブロック図である。
【図１０】本発明の幾つかの実施形態による、基地局の１つのスロットでの適応型マルチユーザチャネルを通じての音声サービス（ＶＡＭＯＳ）ダウンリンク物理層機能の一実施形態を例示したブロック図である。
【図１１】本発明の幾つかの実施形態による切断される音声呼を防止するための方法の流れ図である。
【図１２】本発明の幾つかの実施形態による２つの適応型四位相偏移変調（ＡＱＰＳＫ）信号点配置図を例示した図である。
【図１３】本発明の幾つかの実施形態による基地局内に含めることができる幾つかのコンポーネントを例示した図である。
【図１４】本発明の幾つかの実施形態による無線通信デバイス内に含めることができる幾つかのコンポーネントを例示した図である。
【発明を実施するための形態及び代替実施形態】
【００１９】
ますます多くの人々が、音声通信のためだけでなくデータ通信のためにも無線通信デバイス、例えば、携帯電話、を使用するようになってきている。電気通信ネットワークは、スマートフォン及びモバイルコンピュータによるますます増大する帯域幅要求、及びネットワークへのアクセスを求めるデバイス及びプログラムの数がますます増加してきていることの両方に起因して、ますます増大する負担にさらされるようになってきている。例えば、スマートフォンで実行する数多くのアプリケーションが、アップデートの有無を確認するために定期的にネットワークにアクセスする。各アクセス自体は、相対的に小量の帯域幅しか消費しない一方で、多数のアプリケーションを実行する非常に多くの数のデバイスがネットワーク、特にシグナリング及び制御チャネル、に対して多大な負荷をかける可能性がある。マシンタイプの通信（ＭＴＣ）デバイス（例えば、マシンツーマシン（Ｍ２Ｍ））がますます普及していることもネットワークリソースに対する要求を同様に増大させる可能性がある。
【００２０】
図１は、ここにおいて開示される本発明の実施形態を利用することができる無線通信システム１００の例を示す。無線通信システム１００は、複数の基地局１０２と、複数の無線通信デバイス１０４と、を含む。各基地局１０２は、特定の地理上のエリア１０６のためのカバレッジを提供する。用語“セル”は、その用語が使用される文脈に依存して基地局１０２及び／又はそのカバレッジエリア１０６を意味することができる。
【００２１】
本出願で利用される用語“無線通信デバイス”及び“基地局”は、概してコンポーネントの配列を意味することができる。例えば、ここにおいて使用される場合の用語“無線通信デバイス”は、無線通信システムを通じての音声及び／又はデータ通信のために使用することができる電子デバイスを意味する。無線通信デバイス１０４の例は、携帯電話と、パーソナルデジタルアシスタント（ＰＤＡ）と、ハンドヘルドデバイスと、無線モデムと、ラップトップコンピュータと、パーソナルコンピュータと、を含む。無線通信デバイス１０４は、代替として、アクセス端末、モバイル端末、移動局、遠隔局、ユーザ端末、端末、加入者ユニット、加入者局、モバイルデバイス、無線デバイス、ユーザ装置（ＵＥ）、又はその他の同様の用語を意味することができる。さらに、用語“基地局”は、固定された場所に設置され、無線通信デバイス１０４と通信するために使用される無線通信局を意味することができる。基地局１０２は、代替で、アクセスポイント（ナノセル、ピコセル及びフェムトセルを含む）、ノードＢ、エボルブド（ｅｖｏｌｖｅｄ）ノードＢ、ホームノードＢ又は何らかのその他の同様の用語で呼ばれることもある。
【００２２】
システム容量を向上させるために、基地局カバレッジエリア１０６を複数のより小さいエリア、例えば、３つのより小さいエリア１０８ａ、１０８ｂ、及び１０８ｃ、に分割することができる。各々のより小さいエリア１０８ａ、１０８ｂ、及び１０８ｃは、各々のベーストランシーバ局（ＢＴＳ）によってサービスを提供することができる。用語“セクタ”は、その用語が使用される文脈に依存してＢＴＳ及び／又はそのカバレッジエリア１０８を意味することができる。セクタに分割されたセルに関して、そのセルの全セクタのためのＢＴＳが、典型的には、そのセルのための基地局１０２内に共配置される。
【００２３】
無線通信デバイス１０４は、典型的には、無線通信システム１００全体に分散される。無線通信デバイス１０４は、いずれの所定の時点においてもダウンリンク及び／又はアップリンクで１つ以上の基地局１０２と通信することができる。ダウンリンク（又は順方向リンク）は、基地局１０２から無線通信デバイス１０４への通信リンクを意味し、アップリンク（逆方向リンク）は、無線通信デバイス１０４から基地局１０２への通信リンクを意味する。アップリンク及びダウンリンクは、通信リンク又は通信リンクのために使用されるキャリアを意味することができる。
【００２４】
集中型アーキテクチャに関しては、システムコントローラ１１０は、基地局１０２に結合し、基地局１０２のための調整及び制御を提供することができる。システムコントローラ１１０は、単一のネットワークエンティティ又はネットワークエンティティの集合であることができる。他の例として、分散型アーキテクチャに関しては、基地局１０２は、必要に応じて互いに通信することができる。
【００２５】
図２は、本発明の幾つかの実施形態による無線通信システム１００における送信機２７１及び受信機２７３のブロック図を示す。ダウンリンクに関しては、送信機２７１は、基地局１０２の一部であることができ、受信機２７３は、無線通信デバイス１０４の一部であることができる。アップリンクに関しては、送信機２７１は、無線通信デバイス１０４の一部であることができ、受信機２７３は、基地局１０２の一部であることができる。
【００２６】
送信機２７１では、送信（ＴＸ）データプロセッサ２７５がデータ２３０を受信及び処理（フォーマット化、符号化、及びインターリービング）してコーディングされたデータを提供する。変調器２１２は、コーディングされたデータに対して変調を行い、変調された信号を提供する。変調器２１２は、ＧＳＭに関してはガウス最小偏移変調（ＧＭＳＫ）、グローバルエボリューションに関する拡張データレート（Ｅｎｈａｎｃｅｄ  Ｄａｔａ  ｒａｔｅｓ  ｆｏｒ  Ｇｌｏｂａｌ  Ｅｖｏｌｕｔｉｏｎ）（ＥＤＧＥ）に関しては、８−ａｒｙ位相偏移変調（８−ＰＳＫ）、等を実施することができる。ＧＭＳＫは、連続位相変調プロトコルであり、８−ＰＳＫは、デジタル変調プロトコルである。送信機ユニット（ＴＭＴＲ）２１８は、変調された信号をコンディショニング（例えば、フィルタリング、増幅、及びアップコンバージョン）してＲＦ変調信号を生成し、それは、アンテナ２２０を介して送信される。
【００２７】
受信機２７３では、アンテナ２２２が、送信機２７１及びその他の送信機からＲＦ変調信号を受信する。アンテナ２２２は、受信されたＲＦ信号を受信機ユニット（ＲＣＶＲ）２２４に提供する。受信機ユニット２２４は、受信されたＲＦ信号をコンディショニング（例えば、フィルタリング、増幅、及びダウンコンバージョン）し、コンディショニングされた信号をデジタル化し、サンプルを提供する。復調器２２６は、以下において説明されるようにサンプルを処理し、復調されたデータ２３２を提供する。受信（ＲＸ）データプロセッサ２２８は、復調されたデータを処理（例えば、デインターリービング及び復号）し、復号されたデータを提供する。概して、復調器２２６及びＲＸデータプロセッサ２２８による処理は、送信機２７１における変調器２１２及びＴＸデータプロセッサ２７５による処理をそれぞれ補完するものである。
【００２８】
コントローラ／プロセッサ２１４及び２３４は、送信機２７１及び受信機２７３での動作をそれぞれ指示する。メモリ２１６及び２３６は、送信機２７１及び受信機２７３によってそれぞれ使用されるコンピュータソフトウェア及びデータの形態でプログラムコードを格納する。
【００２９】
図３は、受信機２７３における受信機ユニット３２４及び復調器３２６の設計のブロック図を示す。受信機ユニット３２４内において、受信チェーン３２７は、受信されたＲＦ信号を処理し、Ｉｂｂ及びＱｂｂで表されるＩ（同相）及びＱ（直交）ベースバンド信号を提供する。受信チェーン３２７は、希望に応じて又は必要に応じて、低雑音増幅、アナログフィルタリング、直交ダウンコンバージョン、等を行うことができる。アナログ−デジタル変換器（ＡＤＣ）３２８は、サンプリングクロック３２９からのfａｄｃのサンプリングレートでＩ及びＱベースバンド信号をデジタル化し、Ｉａｄｃ及びＱａｄｃとして表されるＩサンプル及びＱサンプルを提供する。概して、ＡＤＣサンプリングレートfａｄｃは、いずれかの整数又は非整数係数によってシンボルレートfｓｙｍに関連付けることができる。
【００３０】
復調器３２６内において、プリプロセッサ３３０は、アナログ−デジタル変換器（ＡＤＣ）３２８からのＩサンプル及びＱサンプルに対する前処理を行う。例えば、プリプロセッサ３３０は、直流（ＤＣ）オフセットを除去し、周波数オフセットを除去し、以下同様であることができる。入力フィルタ３３２は、特定の周波数応答に基づいてプリプロセッサ３３０からのサンプルをフィルタリングし、Ｉｉｎ及びＱｉｎで表される入力Ｉサンプル及びＱサンプルを提供する。入力フィルタ３３２は、アナログ−デジタル変換器（ＡＤＣ）３２８によるサンプリング及びジャマの結果得られる画像を抑止するためにＩサンプル及びＱサンプルをフィルタリングすることができる。入力フィルタ３３２は、例えば、２４Ｘオーバーサンプリングから２Ｘオーバーサンプリングへのサンプルレート変換を実施することもできる。データフィルタ３３３は、他の周波数応答に基づいて入力フィルタ３３２からの入力Ｉサンプル及びＱサンプルをフィルタリングし、Ｉｏｕｔ及びＱｏｕｔで表される出力Ｉサンプル及びＱサンプルを提供する。入力フィルタ３３２及びデータフィルタ３３３は、有限インパルス応答（ＦＩＲ）フィルタ、無限インパルス応答（ＩＩＲ）フィルタ、又はその他のタイプのフィルタを用いて実装することができる。入力フィルタ３３２及びデータフィルタ３３３の周波数応答は、優れた性能を達成するように選択することができる。一設計では、入力フィルタ３３２の周波数応答は固定されており、データフィルタ３３３の周波数応答は設定可能である。
【００３１】
隣接チャネル干渉（ＡＣＩ）検出器３３４は、入力フィルタ３３２から入力Ｉサンプル及びＱサンプルを受信し、受信されたＲＦ信号内の隣接チャネル干渉（ＡＣＩ）の有無を検出し、隣接チャネル干渉（ＡＣＩ）インジケータ３３６をデータフィルタ３３３に提供する。隣接チャネル干渉（ＡＣＩ）インジケータ３３６は、隣接チャネル干渉（ＡＣＩ）が存在するかどうか、存在する場合は、隣接チャネル干渉（ＡＣＩ）が＋２００キロヘルツ（ｋＨｚ）を中央とするより高いＲＦチャネル及び／又は−２００ｋＨｚを中央とするより低いＲＦチャネルのいずれに起因するかを示すことができる。データフィルタ３３３の周波数応答は、望ましい性能を達成するために、隣接チャネル干渉（ＡＣＩ）インジケータ３３６に基づいて調整することができる。
【００３２】
等化器／検出器３３５は、データフィルタ３３３から出力Ｉサンプル及びＱサンプルを受信し、これらのサンプルに対して等化、マッチドフィルタリング、検出及び／又はその他の処理を行う。例えば、等化器／検出器３３５は、Ｉサンプル及びＱサンプルのシーケンス及びチャネル推定値が与えられている場合に送信されている可能性が最も高いシンボルのシーケンスを決定する最尤系列推定器（ＭＬＳＥ）を実装することができる。
【００３３】
グローバル移動体通信システム（ＧＳＭ）は、セルラー、無線通信において広く普及している規格である。ＧＳＭは、標準的な音声サービスに関して相対的に効率的である。しかしながら、高忠実度のオーディオサービス及びデータサービスは、ＧＳＭが最適化されるそれよりも高いデータスループットレートを要求する。容量を増大させるために、ＧＳＭシステムでは、汎用パケット無線サービス（ＧＰＲＳ）、ＥＤＧＥ（ＧＳＭエボリューションのための拡張データレート）及びＵＭＴＳ（ユニバーサル移動通信システム）規格が採用されている。ＧＳＭ／ＥＤＧＥ無線アクセスネットワーク（ＧＥＲＡＮ）仕様では、ＧＰＲＳ及びＥＧＰＲＳはデータサービスを提供する。ＧＥＲＡＮに関する規格は、３ＧＰＰ（第三世代パートナーシッププロジェクト）によって維持される。ＧＥＲＡＮは、ＧＳＭの一部である。より具体的には、ＧＥＲＡＮは、基地局１０２（Ａｔｅｒインタフェース及びＡｂｉｓインタフェース）及び基地局コントローラ（Ａインタフェース、等）を結合するネットワークとともにＧＳＭ／ＥＤＧＥの無線部である。ＧＥＲＡＮは、ＧＳＭネットワークの中核である。それは、電話呼及びパケットデータをＰＳＴＮ（公衆交換電話網）から及びＰＳＴＮ（公衆交換電話網）に及びインターネットを遠隔端末に及び遠隔端末からルーティングする。ＧＲＥＡＮは、結合されたＵＭＴＳ／ＧＳＭネットワークの一部でもある。
【００３４】
ＧＳＭは、スペクトルリソースを共有することを目的として、時分割多元接続（ＴＤＭＡ）及び周波数分割多元接続（ＦＤＭＡ）の組み合わせを採用する。ＧＳＭネットワークは、典型的には、幾つかの周波数帯域で動作する。例えば、アップリンク通信に関しては、ＧＳＭ−９００は、８９０乃至９１５メガヘルツ（ＭＨｚ）帯域内の無線スペクトルを共通して使用する（移動局からベーストランシーバ局へ）。ダウンリンク通信では、ＧＳＭ  ９００は、９３５乃至９６０ＭＨｚ帯域を使用する（基地局１０２から無線通信デバイス１０４へ）。さらに、各周波数帯域は、２００ｋＨｚ搬送波周波数に分割され、２００ｋＨｚ間隔の１２４のＲＦチャネルを提供する。ＧＳＭ−１９００は、アップリンクに関しては１８５０乃至１９１０ＭＨｚ帯域、ダウンリンクに関しては１９３０乃至１９９０ＭＨｚ帯域を使用する。ＧＳＭ９００と同様に、ＦＤＭＡは、アップリンク及びダウンリンクの両方に関してスペクトルを２００ｋＨｚ幅の搬送波周波数に分割する。同様に、ＧＳＭ−８５０は、アップリンクに関しては８２４乃至８４９ＭＨｚ帯域及びダウンリンクに関しては８６９乃至８９４ＭＨｚ帯域を使用し、他方、ＧＳＭ−１８００は、アップリンクに関しては１７１０乃至１７８５ＭＨｚ帯域及びダウンリンクに関しては１８０５乃至１８８０ＭＨｚ帯域を使用する。
【００３５】
既存のＧＳＭシステムの一例が、第三世代パートナーシッププロジェクト（３ＧＰＰ）規格設定組織によって発行された“Technical Specification 3rd Generation Partnership Project; Technical Specification Group GSM/EDGE Radio Access Network; Multiplexing and multiple access on the radio path (Release 4)”（技術仕様第三世代パートナーシッププロジェクト；技術仕様グループＧＳＭ／ＥＤＧＥ無線アクセスネットワーク；無線経路での多重化及び多元接続（リリース４））という題名の技術仕様書３ＧＰＰ  ＴＳ  ４５．００２  Ｖ４．８．０（２００３−０６）において示される。
【００３６】
ＧＳＭにおける各チャネルは、特定の絶対無線周波数チャネル（ＡＲＦＣＮ）によって識別される。例えば、ＧＳＭ  ９００のチャネルにはＡＲＦＣＮ１−１２４が割り当てられ、ＧＳＭ  １９００のチャネルにはＡＲＦＣＮ５１２−８１０が割り当てられる。同様に、ＧＳＭ  ８５０のチャネルにはＡＲＦＣＮ１２８−２５１が割り当てられ、ＧＳＭ  １８００のチャネルにはＡＲＦＣＮ５１２−８８５が割り当てられる。さらに、各基地局１０２には１つ以上の搬送波周波数が割り当てられる。各搬送波周波数は、ＴＤＭＡを用いて８つのタイムスロット（タイムスロット０乃至７のラベルが付される）に分割され、従って、８つの連続するタイムスロットは、４．６１５ミリ秒（ｍｓ）の継続時間を有する１つのＴＤＭＡフレームを形成する。物理チャネルがＴＤＭＡフレーム内の１つのタイムスロットを占める。各々のアクティブな無線通信デバイス１０４又はユーザには、呼の継続時間の間１つ以上のタイムスロットインデックスが割り当てられる。各無線通信デバイス１０４のための個々のユーザごとのデータは、その無線通信デバイス１０４に割り当てられたタイムスロットで及びトラフィックチャネルのために使用されるＴＤＭＡフレームで送信される。
【００３７】
図４は、ＧＳＭでのフレームフォーマット及びバーストフォーマットの例を示す。送信タイムラインは、マルチフレーム４３７に分割される。各々のユーザごとのデータを送信するために使用されるトラフィックチャネルに関して、この例の各マルチフレーム４３７は、２６のＴＤＭＡフレーム４３８を含み、それらは、ＴＤＭＡフレーム０乃至２５のラベルが付される。トラフィックチャネルは、各マルチフレーム４３７のＴＤＭＡフレーム０乃至１１及びＴＤＭＡフレーム１３乃至２４で送信される。制御チャネルは、ＴＤＭＡフレーム１２で送信される。アイドルのＴＤＭＡフレーム２５ではデータは送信されず、それは、近隣基地局１０２によって送信された信号の測定を行うために無線通信デバイス１０４によって使用される。
【００３８】
フレーム内の各タイムスロットは、ＧＳＭでは“バースト”４３９とも呼ばれる。各バースト４３９は、２つのテールフィールドと、２つのデータフィールドと、トレーニングシーケンス（又はミッドアンブル（ｍｉｄａｍｂｌｅ））フィールドと、ガード期間（ＧＰ）と、を含む。各フィールド内のシンボル数は、括弧内に示される。バースト４３９は、テールフィールド、データフィールド、及びミッドアンブルフィールドのためのシンボルを含む。ガード期間ではシンボルは送信されない。特定の搬送波周波数のＴＤＭＡフレームは番号が付され、マルチフレーム４３７と呼ばれる２６又は５１のＴＤＭＡフレーム４３８から成るグループで形成される。
【００３９】
図５は、ＧＳＭシステムでのスペクトル例５００を示す。この例では、２００ｋＨｚの間隔で配置された５つのＲＦチャネルで５つのＲＦ変調された信号が送信される。対象となるＲＦチャネルが示され、中心周波数は０Ｈｚである。２つの隣接するＲＦチャネルは、希望されるＲＦチャネルの中心周波数から＋２００ｋＨｚ及び−２００ｋＨｚである中心周波数を有する。次の２つの最も近いＲＦチャネル（ブロッカ又は非隣接ＲＦチャネルと呼ばれる）は、希望されるＲＦチャネルの中心周波数から＋４００ｋＨｚ及び−４００ｋＨｚである中心周波数を有する。スペクトル５００内にはその他のＲＦチャネルが存在することができ、それらは、簡潔性を目的として図５には示されていない。ＧＳＭでは、fｓｙｍ＝１３０００／４０＝２７０．８キロ  シンボル／秒（ｋｓｐｓ）のシンボルレートを有するＲＦ変調された信号が生成され、最大１３５ｋＨｚの−３デシベル（ｄＢ）帯域幅を有する。このため、図５に示されるように、隣接するＲＦチャネルのＲＦ変調された信号は、互いに重なり合うことができる。
【００４０】
ＧＳＭ／ＥＤＧＥでは、周波数バースト（ＦＢ）は、無線通信デバイス１０４が周波数応答推定及び訂正を用いてそれらの局所発振器（ＬＯ）を基地局１０２局所発振器（ＬＯ）と同期化するのを可能にするために基地局１０２によって定期的に送信される。これらのバーストは、すべて“０”のペイロード及びトレーニングシーケンスに対応する単一のトーンを備える。周波数バーストのすべてゼロのペイロードは、一定の周波数信号、すなわち単一トーンバーストである。電力モードにあるときには、無線通信デバイス１０４は、搬送波のリストから周波数バーストを継続的に探索する。周波数バーストを検出した時点で、無線通信デバイス１０４は、搬送波から６７．７ｋＨｚであるそれの公称周波数からの周波数オフセットを推定する。無線通信デバイス１０４局所発振器（ＬＯ）は、この推定された周波数オフセットを用いて訂正される。パワーアップモードでは、周波数オフセットは、±１９ｋＨｚという大きさになる可能性がある。無線通信デバイス１０４は、それの同期化を待機モードに維持するために周期的にウェイクアップして周波数バーストをモニタリングする。待機モードでは、周波数オフセットは±２ｋＨｚ以内である。
【００４１】
ＧＥＲＡＮシステムでは、情報、例えば、音声、データ、及び／又は制御情報、を通信するために１つ以上の変調方式が使用される。変調方式の例は、ＧＭＳＫ（ガウス最小偏移変調）、Ｍ−ａｒｙ  ＱＡＭ（直交振幅変調）又はＭ−ａｒｙ  ＰＳＫ（位相偏移変調）を含むことができ、ここで、Ｍ＝２ｎであり、ｎは、指定された変調方式に関するシンボル期間内に符号化されたビット数である。ＧＭＳＫは、２７０．８３キロビット／秒（Ｋｂｐｓ）の最大レートでのｒａｗ送信を可能にする定包絡線バイナリ変調方式である。
【００４２】
汎用パケット無線サービス（ＧＰＲＳ）は、音声でないサービスである。それは、携帯電話ネットワークを通じて情報を送信及び受信するのを可能にする。それは、回線交換データ（ＣＳＤ）及びショートメッセージサービス（ＳＭＳ）を補足する。ＧＰＲＳは、ＧＳＭと同じ変調方式を採用する。ＧＰＲＳは、フレーム全体（８つのすべてのスロット）を単一の移動局によって同時に使用するのを可能にする。従って、より高いデータスループットを達成可能である。
【００４３】
ＥＤＧＥ規格は、ＧＭＳＫ変調及び８−ＰＳＫ変調の両方を使用する。さらに、変調タイプは、バーストごとに変更することができる。ＥＤＧＥでの８−ＰＳＫ変調は、３π／８回転を有する線形の８レベル位相変調であり、他方、ＧＭＳＫは、非線形のガウスパルス整形周波数変調である。しかしながら、ＧＳＭで使用される特定のＧＭＳＫ変調は、線形変調（すなわち、π／２回転を有する２レベル位相変調）と近似させる（ａｐｐｒｏｘｉｍａｔｅ）ことができる。近似されたＧＳＭＫのシンボルパルス及び８−ＰＳＫのシンボルパルスは同一である。ＥＧＰＲＳ２規格は、ＧＭＳＫ、ＱＰＳＫ、８−ＰＳＫ、１６−ＱＡＭ及び３２−ＱＡＭ変調を使用する。変調タイプは、バーストごとに変更することができる。ＥＧＰＲＳ２でのＱ−ＰＳＫ、８−ＰＳＫ、１６−ＱＡＭ及び３２−ＱＡＭ変調は、３π／４、３π／８、π／４、−π／４回転を有する線形の４レベル、８レベル、１６レベル及び３２レベル位相変調であり、他方、ＧＭＳＫは、非線形のガウスパルス整形周波数変調である。しかしながら、ＧＳＭで使用される特定のＧＭＳＫ変調は、線形変調（すなわち、π／２回転を有する２レベル位相変調）と近似させることができる。近似されたＧＳＭＫのシンボルパルス及び８−ＰＳＫのシンボルパルスは同一である。Ｑ−ＰＳＫ、１６−ＱＡＭ及び３２−ＱＡＭのシンボルパルスは、スペクトル的に狭い又は広いパルス形を使用することができる。
【００４４】
図６は、送信回路（電力増幅器６４２を含む）と、受信回路６４３と、電力コントローラ６４４と、復号プロセッサ６４５と、信号を処理する際に使用するための処理ユニット６４６と、メモリ６４７と、を含む無線デバイス６００の例を示す。無線デバイス６００は、基地局１０２又は無線通信デバイス１０４であることができる。送信回路６１４及び受信回路６４３は、無線デバイス６００と遠隔局との間でのデータの送信及び受信、例えば、音声通信、を可能にすることができる。送信回路６４１及び受信回路６４３は、アンテナ６４０に結合することができる。
【００４５】
処理ユニット６４６は、無線デバイス６００の動作を制御する。処理ユニット６４６は、中央処理装置（ＣＰＵ）と呼ばれることもある。メモリ６４７は、読み取り専用メモリ（ＲＯＭ）とランダムアクセスメモリ（ＲＡＭ）との両方を含むことができ、処理ユニット６４６に命令及びデータを提供する。メモリ６４７の一部は、非揮発性ランダムアクセスメモリ（ＮＶＲＡＭ）を含むこともできる。
【００４６】
無線デバイス６００の様々なコンポーネントがバスシステム６４９によってまとめて結合され、それは、データバスに加えて、電力バスと、制御信号バスと、状態信号バスと、を含むことができる。明確化を目的として、様々なバスは、図６ではバスシステム６４９として例示される。
【００４７】
説明される方法のステップは、無線デバイス６００のメモリ６４７内に配置されたソフトウェア又はファームウェアの形態の命令として格納することもできる。これらの命令は、無線デバイス６００のコントローラ／プロセッサ１１０によって実行することができる。代替として、又は連繋として、説明される方法のステップは、無線デバイス６００のメモリ６４７内に配置されたソフトウェア又はファームウェア６４８の形態の命令として格納することもできる。これらの命令は、図６の無線デバイス６００の処理ユニット６４６によって実行することができる。
【００４８】
図７は、送信機構造及び／又はプロセスの例を示す。図７の送信機構造及び／又はプロセスは、無線デバイス、例えば、無線通信デバイス１０４又は基地局１０２、等において実装することができる。図７に示される機能及びコンポーネントは、ソフトウェア、ハードウェア又はソフトウェアとハードウェアの組み合わせによって実装することができる。示される機能に加えて又は示される機能の代わりにその他の機能を図７に加えることができる。
【００４９】
図７において、データソース７５０は、データｄ（ｔ）７５１をフレーム品質インジケータ（ＦＱＩ）／符号器７５２に提供する。フレーム品質インジケータ（ＦＱＩ）／符号器７５２は、巡回冗長検査（ＣＲＣ）、等のフレーム品質インジケータ（ＦＱＩ）をデータｄ（ｔ）に添付することができる。フレーム品質インジケータ（ＦＱＩ）／符号器７５２は、１つ以上のコーディング方式を用いてデータ及びフレーム品質インジケータ（ＦＱＩ）をさらに符号化して符号化されたシンボル７５３を提供することができる。各コーディング方式は、１つ以上のタイプのコーディング、例えば、畳み込みコーディング、ターボコーディング、ブロックコーディング、繰り返しコーディング、その他のタイプのコーディングを含むことができ、又はコーディングをまったく含まないことができる。その他のコーディング方式は、自動再送要求（ＡＲＱ）技法と、ハイブリッドＡＲＱ（Ｈ−ＡＲＱ）技法と、増分冗長繰り返し技法と、を含むことができる。異なるタイプのデータは、異なるコーディング方式で符号化することができる。
【００５０】
インターリーバ７５４は、フェージングに対処するために符号化されたデータシンボル７５３を時間の点でインターリービングし、シンボル７５５を生成する。インターリービングされたシンボル７５５は、フレーム７５７を生成するために予め定義されたフレームフォーマットにフレームフォーマットブロック７５６によってマッピングすることができる。一例では、フレームフォーマットブロック７５６は、フレーム７５７が複数のサブセグメントから成るように指定することができる。サブセグメントは、所定の次元、例えば、時間、周波数、コード又はその他のあらゆる次元、に沿ったフレーム７５７の連続する部分であることができる。フレーム７５７は、一定の複数の該サブセグメントから成ることができ、各サブセグメントは、フレームに割り当てられたシンボルの総数の一部分を含む。一例では、インターリービングされたシンボル７５５は、フレーム７５７を構成する複数Ｓのサブセグメントにセグメント化される。
【００５１】
フレームフォーマットブロック７５６は、インターリービングされたシンボル７５５とともに、例えば、制御シンボル（示されていない）を含めることをさらに指定することができる。該制御シンボルは、例えば、電力制御シンボル、フレームフォーマット情報シンボル、等を含むことができる。
【００５２】
変調器７５８は、変調されたデータ７５９を生成するためにフレーム７５７を変調する。変調技法の例は、二位相偏移変調（ＢＰＳＫ）と、四位相偏移変調（ＱＰＳＫ）と、を含む。変調器７５８は、変調されたデータのシーケンスを繰り返すこともできる。
【００５３】
ベースバンド−無線周波数（ＲＦ）変換ブロック７６０は、１つ以上の無線デバイス受信機に無線通信リンクを通じて信号７６２としてアンテナ７６１を介して送信するために変調されたデータ７５９をＲＦ信号に変換することができる。
【００５４】
図８は、本発明の幾つかの実施形態における１つのスロットでの適応型マルチユーザチャネルを通じての音声サービス（ＶＡＭＯＳ）をサポートするために使用されるＧＥＲＡＮスタックの要素の一部を例示するブロック図である。非アクセス層（ｎｏｎ  ａｃｃｅｓｓ  ｓｔｒａｔｕｍ  （ＮＡＳ））層８６３は、１つのスロットでの適応型マルチユーザチャネルを通じての音声サービス（ＶＡＭＯＳ）無線能力クラスマーク（ｃｌａｓｓｍａｒｋ）を含むことができる。非アクセス層（ＮＡＳ）層８６３は、移動性管理（ＭＭ）／ＧＰＲＳ移動性管理（ＧＭＭ）層８６４に情報を送信することができる。移動性管理（ＭＭ）／ＧＰＲＳ移動性管理（ＧＭＭ）層８６４は、データサービス８６５において論理的リンク制御（ＬＬＣ）層８６６と通信することができる。移動性管理（ＭＭ）／ＧＰＲＳ移動性管理（ＧＭＭ）層８６４は、無線リソース（ＲＲ）／ＧＰＲＳ無線リソース（ＧＲＲ）層８７０と通信することもできる。
【００５５】
データサービス８６５は、アップリンク８６８及びダウンリンク８６９通信のための無線リンク制御（ＲＬＣ）層８６７を含むこともできる。無線リンク制御（ＲＬＣ）層８６７は、論理的リンク制御（ＬＬＣ）層８６６及び無線リソース（ＲＲ）／ＧＰＲＳ無線リソース（ＧＲＲ）層８７０と通信することができる。論理的リンク制御（ＬＬＣ）層８６６は、無線リソース（ＲＲ）／ＧＰＲＳ無線リソース（ＧＲＲ）層８７０と通信することもできる。無線リンク制御（ＲＬＣ）層８６７は、ポータブル層１  ８７３の汎用パケット無線サービス（ＧＰＲＳ）ポータブル層１（ＰＬ１）８７５と通信することもできる。
【００５６】
ポータブル層１  ８７３は、汎用パケット無線サービス（ＧＰＲＳ）ポータブル層１（ＰＬ１）８７５と、グローバル移動体通信システム（ＧＳＭ）ポータブル層１（ＰＬ１）８７４と、を含むことができる。無線リソース（ＲＲ）／ＧＰＲＳ無線リソース（ＧＲＲ）層８７０は、ポータブル層８７３と直接通信することができる。
【００５７】
無線リソース（ＲＲ）／ＧＰＲＳ無線リソース（ＧＲＲ）層８７０は、Ｌ２層８７２を介してグローバル移動体通信システム（ＧＳＭ）ポータブル層１（ＰＬ１）８７４と通信することもできる。無線リソース（ＲＲ）／ＧＰＲＳ無線リソース（ＧＲＲ）層８７０は、回線交換網（ＣＳＮ）ユーティリティ８７１を介してメディアアクセス制御（ＭＡＣ）層８７８と通信することができる。無線リソース（ＲＲ）／ＧＰＲＳ無線リソース（ＧＲＲ）層８７０は、メディアアクセス制御（ＭＡＣ）層８７８と直接通信することもできる。メディアアクセス制御（ＭＡＣ）層８７８は、無線リンク制御（ＲＬＣ）層８６７及び汎用パケット無線サービス（ＧＰＲＳ）ポータブル層１（ＰＬ１）８７５の両方と通信することができる。ポータブル層１  ８７３は、非ポータブル層１  ８７６と通信することができる。非ポータブル層１  ８７６は、モデムデジタル信号プロセッサ（ｍＤＳＰ）８７７と通信することができる。
【００５８】
図９は、幾つかの実施形態において、１つのスロットでの適応型マルチユーザチャネルを通じての音声サービス（ＶＡＭＯＳ）を用いてタイムスロット９７９において異なる数のユーザにどのようにしてサービスを提供することができるかを例示するブロック図である。非ＶＡＭＯＳスロット９７８ａでは、ガウス最小偏移変調（ＧＭＳＫ）を用いて１つのフルレート音声（ＦＲ）無線通信デバイス１０４にサービスを提供することができる。又は、非ＶＡＭＯＳスロット９７８ｂでは、ガウス最小偏移変調（ＧＭＳＫ）を用いて２つのハーフレート音声（ＨＲ）無線通信デバイス１０４にサービスを提供することができる。１つのスロットでの適応型マルチユーザチャネルを通じての音声サービス（ＶＡＭＯＳ）では、アップリンク８６８で変更されないガウス最小偏移変調（ＧＭＳＫ）を使用する一方でダウンリンク８６９では適応型四位相偏移変調（ＡＱＰＳＫ）を用いて２つの無線通信デバイス１０４を対にすることができる。従って、１つのタイムスロット９７９では、２つのフルレート音声（ＦＲ）及び４つのハーフレート音声（ＨＲ）無線通信デバイス１０４にサービスを提供することができる。１つのスロットでの適応型マルチユーザチャネルを通じての音声サービス（ＶＡＭＯＳ）は、レガシー無線通信デバイス１０４と互換性があり、十分に確立されたダウンリンクアドバンスト受信機性能（ＧＡＲＰ）特徴を利用することができる。ここにおいて使用される場合において、レガシー無線通信デバイス１０４は、ダウンリンクアドバンスト受信機性能（ＤＡＲＰ）電話及びＤＡＲＰ以前の電話を意味する。幾つかの場合には、１つのスロットでの適応型マルチユーザチャネルを通じての音声サービス（ＶＡＭＯＳ）を使用することは、標準的なグローバル移動体通信システム（ＧＳＭ（登録商標））フレームワークと比較して容量を倍増させること又は１／２のスペクトルを用いて同じ容量を達成することができる。
【００５９】
１つのスロットでの適応型マルチユーザチャネルを通じての音声サービス（ＶＡＭＯＳ）機能は、回線交換（ＣＳ）接続のためのスペクトル効率を向上させることを目的として３ＧＰＰ  ＧＥＲＡＮ  Ｒｅｌｅａｓｅ９規格に導入された。１つのスロットでの適応型マルチユーザチャネルを通じての音声サービス（ＶＡＭＯＳ）は、回線交換（ＣＳ）音声サービスのみにしか適用することができず、パケット交換（ＰＳ）データサービスには適用できない。
【００６０】
１つのスロットでの適応型マルチユーザチャネルを通じての音声サービス（ＶＡＭＯＳ）は、一実施形態においては、ダウンリンク８６９及びアップリンク８６８の両方において回線交換モードで同じ物理的リソースで（すなわち、同じタイムスロットで及び同じ絶対無線周波数チャネル番号（ＡＲＦＣＮ）で）２つの無線通信デバイス１０４に同時にサービスを提供することができる。従って、１つのスロットでの適応型マルチユーザチャネルを通じての音声サービス（ＶＡＭＯＳ）が可能な基本的物理チャネルは、それらの関連付けられた制御チャネル（すなわち、高速の関連付けられた制御チャネル（ＦＡＣＣＨ）及び低速の関連付けられた制御チャネル（ＳＡＣＣＨ／Ｔ）（ハーフレート）とともに最大で４つの送信チャネル（ＴＣＨ）／ハーフレート（ＨＲ）チャネルをサポートすることができる。１つのスロットでの適応型マルチユーザチャネルを通じての音声サービス（ＶＡＭＯＳ）は、関係する各無線通信デバイス１０４に伝えずに、３つ、４つ又は５つの無線通信デバイス１０４に関してネットワーク制御によって１つのタイムスロット９７９に関する音声サービス構成のために使用することができる。
【００６１】
示されるシンボルは、リソース使用法の簡略化版である。レガシーフルレート音声（ＦＲ）は、１ビットのみを有するシンボル全体、及びフレーム番号（ＦＮ）全体を使用することができる。従って、１つのユニットのリソース（すなわち、１つのタイムスロット９７９）は、いずれの時点でも１つの無線通信デバイス１０４にサービスを提供することができる。しかしながら、ガウス最小偏移変調（ＧＭＳＫ）変調に基づいて、既存のハーフレート音声（ＨＲ）サービスを使用することで、リソースのユニットをフレーム番号（ＦＮ）次元で分割することができる。従って、（偶数フレーム番号（ＦＮ）及び奇数フレーム番号（ＦＮ）によって分類された）１つの送信チャネル（ＴＣＨ）リソースから２つの無線通信デバイス１０４にサービスを提供することができる。無線周波数（ＲＦ）状態がハーフレート音声（ＨＲ）をサポートする上で十分に良好であるときには、容量利得を達成することができる。適応型四位相偏移変調（ＡＱＰＳＫ）変調に基づく、１つのスロットでの適応型マルチユーザチャネルを通じての音声サービス（ＶＡＭＯＳ）モードでは、２つのビット／シンボルが他の次元を提供することができる（すなわち、先行のハーフレート音声（ＨＲ）方式に加えてのシンボル当たりのビット数）。従って、１つのスロットでの適応型マルチユーザチャネルを通じての音声サービス（ＶＡＭＯＳ）を使用する基地局１０２は、無線周波数（ＲＦ）状態が適応型マルチレート（ＡＭＲ）ハーフレート音声（ＨＲ）を含むハーフレート音声（ＨＲ）コーデックで適応型四位相偏移変調（ＡＱＰＳＫ）をサポートする上で十分に良好であるときには１つの送信チャネル（ＴＣＨ）リソース（すなわち、１つのスロットでの適応型マルチユーザチャネルを通じての音声サービス（ＶＡＭＯＳ）タイムスロット９７９）で最大で４つのハーフレート音声（ＨＲ）の１つのスロットでの適応型マルチユーザチャネルを通じての音声サービス（ＶＡＭＯＳ）呼をサポートすることができる。
【００６２】
レガシーシステムのための様々な回線交換（ＣＳ）サービスが最初の２つのブロック（タイムスロット９７８ａ−ｂ）によって示されており、最大で２つの無線通信デバイス１０４をサポートすることができる。１つのスロットでの適応型マルチユーザチャネルを通じての音声サービス（ＶＡＭＯＳ）を使用することによって、１つのタイムスロット９７９に関して追加の無線通信デバイス１０４を使用することができる（例えば、最大４つ）。１つのスロットでの適応型マルチユーザチャネルを通じての音声サービス（ＶＡＭＯＳ）モードにおける送信チャネル（ＴＣＨ）、高速の関連付けられた制御チャネル（ＦＡＣＣＨ）及び低速の関連付けられた制御チャネル（ＳＡＣＣＨ／Ｔ）（ハーフレート）のためのチャネル構成は、レガシーモードと互換性を有することができる。１つのスロットでの適応型マルチユーザチャネルを通じての音声サービス（ＶＡＭＯＳ）レベル１無線通信デバイス１０４は、チャネル構成に関するかぎりは相違点がない。１つのスロットでの適応型マルチユーザチャネルを通じての音声サービス（ＶＡＭＯＳ）レベル１は、ダウンリンクアドバンスト受信機性能（ＤＡＲＰ）に基づく解決方法である。１つのスロットでの適応型マルチユーザチャネルを通じての音声サービス（ＶＡＭＯＳ）レベル２は、性能を最大化するために対内のトレーニングシーケンスコード及びさらなる低速の関連付けられた制御チャネル（ＳＡＣＣＨ）チャネルシフトの両方を知ることによってさらなる性能向上を可能にすることができる。
【００６３】
図１０は、基地局１０２の１つのスロットでの適応型マルチユーザチャネルを通じての音声サービス（ＶＡＭＯＳ）ダウンリンク物理層機能の一実施形態を例示するブロック図である。１つのスロットでの適応型マルチユーザチャネルを通じての音声サービス（ＶＡＭＯＳ）対内の送信チャネル（ＴＣＨ）及び関連付けられた制御チャネルからの対応するビットの対を、割り当てられたトレーニングシーケンスコード（ＴＳＣ）を有する適応型四位相偏移変調（ＡＱＰＳＫ）変調シンボルにマッピングすることができる。送信チャネル（ＴＣＨ）バーストビットの第１の組１０８ａは、第１の無線通信デバイス１０４に対応することができ、及び、送信チャネル（ＴＣＨ）バーストビットの第２の組１０８ｂは、第２の無線通信デバイス１０４に対応することができる。
【００６４】
送信チャネル（ＴＣＨ）バーストビットの第１の組１０８ａは、同相（Ｉ）軸上の二位相偏移変調（ＢＰＳＫ）１０８１ａ、ｃｏｓ（α）の利得を有する増幅器１０８２、ｋ番目のシンボルでのπ／２＊ｋの移相１０８４ａ及びパルス整形Ａ  １０８５を通じて渡すことができる。送信チャネル（ＴＣＨ）バーストビットの第２の組１０８ｂは、四相（Ｑ）軸上の二位相偏移変調（ＢＰＳＫ）１０８１ｂ、ｓｉｎ（α）の利得を有する増幅器１０８３、ｋ番目のシンボルでのπ／２＊ｋの移相１０８４ｂ及びパルス整形Ｂ  １０８６を通じて渡すことができる。次に、送信チャネル（ＴＣＨ）バーストビットの第１の組１０８０ａ及び送信チャネル（ＴＣＨ）バーストビットの第２の組１０８０ｂは、基地局１０２によって送信する前に加算器１０８７を用いて結合し、ＲＦ変調器及び電力増幅器１０８８を通じて渡すことができる。
【００６５】
図１１は、切断される音声呼を防止するための方法１１００の流れ図である。方法１１００は、本発明の一実施形態においては基地局１０２又はその他のアクセスポイントタイプのコンポーネントによって実施することができる。基地局１０２は、複数の無線通信デバイス１０４からの複数の低速の関連付けられた制御チャネル（ＳＡＣＣＨ）報告を受信することができる１１０２。無線通信デバイス１０４の一部は、レガシーダウンリンクアドバンスト受信機性能（ＤＡＲＰ）電話であることができる。従って、これらの無線通信デバイス１０４は、単一アンテナ干渉除去（ＳＡＩＣ）に基づくことができ及び１つのスロットでの適応型マルチユーザチャネルを通じての音声サービス（ＶＡＭＯＳ）適応型四位相偏移変調（ＡＱＰＳＫ）変調されたＲＦ信号を復号するために使用することができる。
【００６６】
無線通信デバイス１０４は、時間追跡及び周波数追跡を行うことが必要になることがある。この理由は、ライブネットワークには完璧なシステムは存在しないためである。時間追跡及び周波数追跡は、その結果として、一定の干渉を適応型四位相偏移変調（ＡＱＰＳＫ）によって提示することができる。適応型四位相偏移変調（ＡＱＰＳＫ）が常に使用される場合は、無線通信デバイス１０４は、誤った時間及び周波数を追跡することがある。
【００６７】
基地局１０２は、不良な受信信号の品質（Ｒｘｑｕａｌ）を有するとみられる１つ以上の無線通信デバイス１０４を特定することができる１１０４。次に、基地局１０２は、基地局１０２が対応する対になった無線通信デバイス１０４よりも好ましい時折のランダムな電力不均衡を特定された無線通信デバイス１０４に与えるようにサブチャネル電力不均衡比（ＳＣＰＩＲ）を調整することができる１１０６。この調整は、わずかから極端にわたることができる。さらに、その調整は、ダイナミック方式で行うことができる。例えば、幾つかの実施形態では、その調整の結果、対応する対になった無線通信デバイス１０４が１つのバーストを逸する（ｍｉｓｓ）ことができる。
【００６８】
その他の実施形態では、追加のバーストを逸することができる（例えば、２乃至２０の範囲）。しかしながら、好ましくは、重要な点は、音声品質を受け入れ不能なレベルまで劣化させる（すなわち、音声トラフィックがユーザに聞こえないか又はネットワークスレショルドを超える）ことがないように可能な限り少ないバーストを逸するようにすることである。適応型方式は、サブチャネル電力不均衡比（ＳＣＰＩＲ）がさらに進行してバーストをさらに損傷させるのを防止することができる。呼は、低速の関連付けられた制御チャネル（ＳＡＣＣＨ）が予め定義されたバースト数又はネットワークによって設定することができる時間量の間失われている場合に切断されることがある。呼が切断された場合は、システムは、無線リンク障害を宣告することができる。
【００６９】
上記のように、基地局１０２が特定された無線通信デバイス１０４に時折のランダムな好ましい電力不均衡を与えるようにサブチャネル電力不均衡比（ＳＣＰＩＲ）を調整する１１０６ことは、有利であることができる。例えば、この調整は、特定された無線通信デバイス１０４にガウス最小偏移変調（ＧＭＳＫ）又は非常に好ましい適応型四位相偏移変調（ＡＱＰＳＫ）を与えることができる。そうすることは、音声呼が終了されるか又は切断されるのを防止し、それによって電話呼の継続を可能にすることができる。
【００７０】
従って、ネットワークは、音声品質をほとんどまったく犠牲にすることなしに、本来であれば切断される可能性がある音声呼をライブ状態に維持することができる。これは、ライブネットワークにおける何十億もの無線通信デバイス１０４が直面する１つの問題である。本発明の実施形態、例えば、方法１１００、は、レガシーダウンリンクアドバンスト受信機性能（ＤＡＲＰ）無線通信デバイス１０４が１つのスロットでの適応型マルチユーザチャネルを通じての音声サービス（ＶＡＭＯＳ）モードで機能するのを援助するための適応型の、実際的かつ有効な解決方法である。対応する対になった無線通信デバイス１０４（すなわち、気づかれるより良い受信信号品質（Ｒｘｑｕａｌ）を有する無線通信デバイス１０４）は、数秒に１つのバーストを逸する（ｍｉｓｓ）ことができる。これは、ユーザの経験にとっては何の問題も生じさせない。この理由は、数秒に１つのバーストを逸しても気づかれる音声品質を有意に劣化させることはないためである。
【００７１】
無線通信デバイス１０４は、基地局１０２によって実装された適応型四位相偏移変調（ＡＱＰＳＫ）／サブチャネル電力不均衡比（ＳＣＰＩＲ）の変化を識別すること可能であることができる。無線通信デバイス１０４は、低速の関連付けられた制御チャネル（ＳＡＣＣＨ）報告を生成することができる。生成された低速の関連付けられた制御チャネル（ＳＡＣＣＨ）報告は、基地局１０２に送信することができる。基地局１０２は、それに応答して、無線通信デバイス１０４に対するサブチャネル電力不均衡比（ＳＣＰＩＲ）を調整することができる。無線通信デバイス１０４は、ビット誤り率（ＢＥＲ）及びフレーム誤り率（ＦＥＲ）の点で最良の性能を確保するために識別された変化に従って適応型バースト処理を実施することができる。幾つかの例では、適応させることは、エンドユーザにとって受け入れ可能な音声品質を提供するようにＢＥＲ及び／又はＦＥＲをスケーリングするか又は範囲を設定するようにすることであることができる。これらは、希望に応じて及び／又はシステム性能による必要に応じて変更することができる。その他の例では、適応型処理は、音声呼がエンドユーザにとって聞き取れない及び／又は切断されるのを防止するＢＥＲ及び／又はＦＥＲを生成することができる。
【００７２】
図１２は、本発明の一実施形態において使用するための２つの適応型四位相偏移変調（ＡＱＰＳＫ）信号点配置図（ｃｏｎｓｔｅｌｌａｔｉｏｎ）１２９１ａ−ｂを例示した図である。その他の適応型四位相偏移変調（ＡＱＰＳＫ）信号点配置図１２９１も使用することができる。各無線通信デバイス１０４には、１つのスロットでの適応型マルチユーザチャネルを通じての音声（ＶＡＭＯＳ）モードでレガシー無線通信デバイス１０４も使用できるように信号と既存の最小偏移変調（ＧＭＳＫ）変調の互換性を維持するためにシンボルベースで漸進的９０度回転を有する二位相偏移変調（ＢＰＳＫ）信号点配置図を与えることができる。
【００７３】
対になった無線通信デバイス１０４の２つの二位相偏移変調（ＢＰＳＫ）信号点配置図は、９０°離すことができる。第１の無線通信デバイス１０４の二位相偏移変調（ＢＰＳＫ）信号点配置図１２８９ａ及び第２の無線通信デバイス１０４の二位相偏移変調（ＢＰＳＫ）信号点配置図１２９０ａは、第１の適応型四位相偏移変調（ＡＱＰＳＫ）信号点配置図１２９１ａ内に示される。サブチャネルの各々は、第１の無線通信デバイス１０４に対応する二位相偏移変調（ＢＰＳＫ）信号点配置図１２８９ｂ及び第２の適応型四位相偏移変調（ＡＱＰＳＫ）信号点配置図１２９１ｂの第２の無線通信デバイス１０４に対応する二位相偏移変調（ＢＰＳＫ）信号点配置図１２９０ｂによって例示されるように、異なる電力レベルを有することができる。基地局１０２は、不良の受信信号品質（Ｒｘｅｑｕａｌ）を有する無線通信デバイス１０４が時折のランダムな好ましい電力不均衡を受信することができるようにこれらのサブチャネル電力不均衡（すなわち、サブチャネル電力不均衡比（ＳＣＰＩＲ））を調整することができる。
【００７４】
サブチャネル電力不均衡比（ＳＣＰＩＲ）の値は、ＳＣＰＩＲ＝２０ｌｏｇ１０（ｔａｎα）によって与えられ、単位はデシベル（ｄＢ）である。表１は、幾つかの角度α及びそれらの対応するサブチャネル電力不均衡比（ＳＣＰＩＲ）を示す。
【表１】
2014511061.tif 000003
【００７５】
図１３は、基地局１３０２内に含めることができる幾つかのコンポーネントを例示する。基地局１３０２は、アクセスポイント、ブロードキャスト送信機、ノードＢ、エボルブドノードＢ、等と呼ばれることもあり、アクセスポイント、ブロードキャスト送信機、ノードＢ、エボルブドノードＢ、等の機能の一部又は全部を含むことができる。基地局１３０２は、プロセッサ１３０３を含む。プロセッサ１３０３は、汎用のシングルチップ又はマルチチップマイクロプロセッサ（例えば、ＡＲＭ）、専用マイクロプロセッサ（例えば、デジタル信号プロセッサ（ＤＳＰ））、マイクロコントローラ、プログラマブルゲートアレイ、等であることができる。プロセッサ１３０３は、中央処理装置（ＣＰＵ）と呼ぶことができる。図１３の基地局１３０２には単一のプロセッサ１３０３のみが示されているが、代替構成では、プロセッサの組み合わせ（例えば、ＡＲＭ及びＤＳＰ）が使用可能である。
【００７６】
基地局１３０２は、メモリ１３０５も含む。メモリ１３０５は、電子情報を格納することが可能なあらゆる電子コンポーネントであることができる。メモリ１３０５は、ランダムアクセスメモリ（ＲＡＭ）、読み取り専用メモリ（ＲＯＭ）、磁気ディスク記憶媒体、光学記憶媒体、ＲＡＭ内のフラッシュメモリデバイス、プロセッサとともに含まれるオンボードメモリ、ＥＰＲＯＭメモリ、ＥＥＰＲＯＭメモリ、レジスタ、等として具現化することができ、それらの組み合わせを含む。
【００７７】
データ１３０７ａ及び命令１３０９ａは、メモリ１３０５に格納することができる。命令１３０９ａは、ここにおいて開示される方法を実装するためにプロセッサ１３０３によって実行可能であることができる。命令１３０９ａを実行することは、メモリ１３０５に格納されるデータ１３０７ａの使用を含むことができる。プロセッサ１３０３が命令１３０９ａを実行するときには、命令１３０９ｂの様々な部分をプロセッサ１３０３にロードすることができ、及び様々なデータ１３０７ｂをプロセッサ１３０３にロードすることができる。
【００７８】
基地局１３０２は、基地局１３０２への又は基地局１３０２からの信号の送信及び受信を可能にする送信機１３１１と受信機１３１３とも含むことができる。送信機１３１１及び受信機１３１３は、総称してトランシーバ１３１５と呼ぶことができる。トランシーバ１３１５にはアンテナ１３１７を電子的に結合することができる。基地局１３０２は、複数の送信機、複数の受信機、複数のトランシーバ及び／又は追加のアンテナを含むこともできる（示されていない）。
【００７９】
基地局１３０２は、デジタル信号プロセッサ（ＤＳＰ）１３２１を含むことができる。基地局３１０２は、通信インタフェース１３２３を含むこともできる。通信インタフェース１３２３は、ユーザが基地局１３０２と対話するのを可能にすることができる。
【００８０】
基地局１３０２の様々なコンポーネントを１つ以上のバスによってまとめて結合することができ、それらは、電力バスと、制御信号バスと、状態信号バスと、データバスと、等を含むことができる。明確化を目的として、様々なバスは、図１３ではバスシステム１３１９として例示される。
【００８１】
図１４は、無線通信デバイス１４０４内に含めることができる幾つかのコンポーネントを例示する。無線通信デバイス１４０４は、アクセス端末、移動局、ユーザ装置（ＵＥ）、等であることができる。無線通信デバイス１４０４は、プロセッサ１４０３を含む。プロセッサ１４０３は、汎用のシングルチップ又はマルチチップマイクロプロセッサ（例えば、ＡＲＭ）、専用マイクロプロセッサ（例えば、デジタル信号プロセッサ（ＤＳＰ））、マイクロコントローラ、プログラマブルゲートアレイ、等であることができる。プロセッサ１４０３は、中央処理装置（ＣＰＵ）と呼ぶことができる。図１４の無線通信デバイス１４０４には単一のプロセッサ１４０３のみが示されているが、代替構成では、プロセッサの組み合わせ（例えば、ＡＲＭ及びＤＳＰ）が使用可能である。
【００８２】
無線通信デバイス１４０４は、メモリ１４０５も含む。メモリ１４０５は、電子情報を格納することが可能なあらゆる電子コンポーネントであることができる。メモリ１４０５は、ランダムアクセスメモリ（ＲＡＭ）、読み取り専用メモリ（ＲＯＭ）、磁気ディスク記憶媒体、光学記憶媒体、ＲＡＭ内のフラッシュメモリデバイス、プロセッサとともに含まれるオンボードメモリ、ＥＰＲＯＭメモリ、ＥＥＰＲＯＭメモリ、レジスタ、等として具現化することができ、それらの組み合わせを含む。
【００８３】
データ１４０７ａ及び命令１４０９ａは、メモリ１４０５に格納することができる。命令１４０９ａは、ここにおいて開示される方法を実装するためにプロセッサ１４０３によって実行可能であることができる。命令１４０９ａを実行することは、メモリ１４０５に格納されるデータ１４０７ａの使用を含むことができる。プロセッサ１４０３が命令１４０９を実行するときには、命令１３０９ｂの様々な部分をプロセッサ１４０３にロードすることができ、様々なデータ１４０７ｂをプロセッサ１４０３にロードすることができる。
【００８４】
無線通信デバイス１４０４は、アンテナ１４１７を介しての無線通信デバイス１４０４への又は無線通信デバイス１４０４からの信号の送信及び受信を可能にする送信機１４１１と受信機１４１３とも含むことができる。送信機１４１１及び受信機１４１３は、総称してトランシーバ１４１５と呼ぶことができる。無線通信デバイス１４０４は、複数の送信機、複数のアンテナ、複数の受信機及び／又は複数のトランシーバを含むこともできる（示されていない）。
【００８５】
無線通信デバイス１４０４は、デジタル信号プロセッサ（ＤＳＰ）１４２１を含むことができる。無線通信デバイス１４０４は、通信インタフェース１４２３を含むこともできる。通信インタフェース１４２３は、ユーザが無線通信デバイス１４０４と対話するのを可能にすることができる。
【００８６】
無線通信デバイス１４０４の様々なコンポーネントを１つ以上のバスによってまとめて結合することができ、それらは、電力バスと、制御信号バスと、状態信号バスと、データバスと、等を含むことができる。明確化を目的として、様々なバスは、図１４ではバスシステム１４１９として例示される。
【００８７】
ここにおいて説明される技法は、直交多重方式に基づく通信システムを含む様々な通信システムのために使用することができる。該通信システムの例は、直交周波数分割多元接続（ＯＦＤＭＡ）システム、単一搬送波周波数分割多元接続（ＳＣ−ＦＤＭＡ）システム、等を含む。ＯＦＤＭＡシステムは、直交周波数分割多重（ＯＦＤＭ）を利用し、それは、全体的なシステム帯域幅を複数の直交副搬送波に分割する変調技法である。これらの副搬送波は、トーン、ビン、等と呼ばれることもある。ＯＦＤＭの場合は、各副搬送波は、データとともに独立して変調することができる。ＳＣ−ＦＤＭＡシステムは、システム帯域幅全体に分散された副搬送波で送信するためにインターリービングされたＦＤＭＡ（ＩＦＤＭＡ）を、隣接する副搬送波の１つのブロックで送信するために局在化されたＦＤＭＡ（ＬＦＤＭＡ）を、又は、隣接する副搬送波の複数のブロックで送信するために拡張されたＦＤＭＡ（ＥＦＤＭＡ）を利用することができる。概して、変調シンボルは、ＯＦＤＭでは周波数領域で、ＳＣ−ＦＤＭＡでは時間領域で送信される。
【００８８】
上記の説明において、様々な用語に関係させて参照番号が時々使用されている。用語が参照番号と関係させて使用される場合は、これは、図のうちの１つ以上において示される特定の要素を指し示すことを意味する。用語が参照番号なしで使用される場合は、これは、いずれの特定の図にも限定されずにその用語を一般的に指し示すことを意味する。
【００８９】
ここにおいて用いられる場合の表現“決定すること”は、非常に様々な行動を包含し、従って、“決定すること”は、計算すること、演算すること、処理すること、導き出すこと、調査すること、検索すること（例えば、テーブル、データベース又は他のデータ構造内を検索すること）、確認すること、等を含むことができる。さらに、“決定すること”は、受信すること（例えば、情報を受信すること）、アクセスすること（例えば、メモリ内のデータにアクセスすること）、等を含むことができる。さらに、“決定すること”は、解決すること、選定すること、選択すること、確立すること、等を含むことができる。
【００９０】
句“に基づいて”は、別の明記がないかぎり、“にのみに基づいて”を意味するものではない。換言すると、句“に基づいて”は、“にのみに基づいて”及び“少なくとも〜に基づいて”の両方を表す。
【００９１】
用語“プロセッサ”は、汎用プロセッサ、中央処理装置（ＣＰＵ）、マイクロプロセッサ、デジタル信号プロセッサ（ＤＳＰ）、コントローラ、マイクロコントローラ、ステートマシン、等を包含すると広義に解釈されるべきである。幾つかの状況下においては、“プロセッサ”は、特定用途向け集積回路（ＡＳＩＣ）、プログラマブルロジックデバイス（ＰＬＤ）、フィールドプログラマブルゲートアレイ（ＦＰＧＡ）、等を意味することができる。用語“プロセッサ”は、処理デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の該構成を意味することができる。
【００９２】
用語“メモリ”は、電子情報を格納することが可能なあらゆる電子コンポーネントを包含すると広義に解釈されるべきである。用語メモリは、様々なタイプのプロセッサによって読み取り可能な媒体、例えば、ランダムアクセスメモリ（ＲＡＭ）、読み取り専用メモリ（ＲＯＭ）、非揮発性ランダムアクセスメモリ（ＮＶＲＡＭ）、プログラマブル読み取り専用メモリ（ＰＲＯＭ）、消去可能プログラマブル読み取り専用メモリ（ＥＰＲＯＭ）、電子的消去可能ＰＲＯＭ（ＥＥＰＲＯＭ）、フラッシュメモリ、磁気又は光学データ記憶装置、レジスタ、等、を意味することができる。メモリは、プロセッサがメモリから情報を読み取る及び／又はメモリに情報を書き込むことが可能な場合にプロセッサと電子的通信状態にあると言われる。プロセッサと一体の又はプロセッサの外部のメモリは、プロセッサと電子的通信状態にあることができる（例えば、直接的又は間接的電子通信）。
【００９３】
用語“命令”及び“コード”は、あらゆるタイプのコンピュータによって読み取り可能なステートメントを含むと広義に解釈されるべきである。例えば、用語“命令”及び“コード”は、１つ以上のプログラム、ルーチン、サブルーチン、関数、プロシージャ、等を意味することができる。“命令”及び“コード”は、単一のコンピュータによって読み取り可能なステートメント又は数多くのコンピュータによって読み取り可能なステートメントを備えることができる。
【００９４】
ここにおいて説明される機能は、ハードウェアによって実行されるソフトウェア又はファームウェア内に実装することができる。機能は、コンピュータによって読み取り可能な媒体において１つ以上の命令として格納することができる。用語“コンピュータによって読み取り可能な媒体”又は“コンピュータプログラム製品”は、コンピュータ又はプロセッサによってアクセスすることができるあらゆる有形の記憶媒体を意味する。一例として、及び制限することなしに、コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコードを搬送又は格納するために用いることができ及びコンピュータによってアクセス可能なあらゆるその他の媒体、を備えることができる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは通常は磁気的にデータを複製し、ｄｉｓｃは、レーザを用いて光学的にデータを複製する。コンピュータによって読み取り可能な媒体は、有形及び非一時的であることができることが注記されるべきである。用語“コンピュータプログラム製品”は、コンピューティングデバイス又はプロセッサと、そのコンピューティングデバイス又はプロセッサによって実行、処理又は計算することができるコード又は命令（例えば、“プログラム”）の組み合わせを意味する。ここにおいて用いられる場合の用語“コード”は、コンピューティングデバイス又はプロセッサによって実行可能であるソフトウェア、命令、コード又はデータを意味することができる。
【００９５】
ソフトウェア又は命令は、送信媒体を通じて送信することもできる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、送信媒体の定義の中に含まれる。
【００９６】
ここにおいて開示される方法は、説明される方法を達成するための１つ以上のステップ又は行動を備える。方法ステップ及び／又は行動は、請求項の適用範囲を逸脱することなしに互換可能である。換言すると、説明されている方法の適切な動作に関してステップ又は行動の特定の順序が要求されないかぎり、特定のステップ及び／又は行動の順序及び／又は使用は、請求項の適用範囲を逸脱することなしに変更することができる。
【００９７】
さらに、ここにおいて説明される方法及び技法を実施するためのモジュール及び／又はその他の該当する手段、例えば、図１１によって例示されるそれら、は、デバイスによってダウンロードすること及び／又はその他の方法で入手することができることが評価されるべきである。例えば、デバイスは、ここにおいて説明される方法を実施するための手段の転送を容易にするためにサーバに結合することができる。代替として、ここにおいて説明される様々な方法は、記憶手段（例えば、ランダムアクセスメモリ（ＲＡＭ）、読み取り専用メモリ（ＲＯＭ），物理的記憶媒体、例えば、コンパクトディスク（ＣＤ）又はフロッピーディスク、等）を介して提供することができ、このため、デバイスは、記憶手段をデバイスに結合した時点で又はデバイスに提供した時点で様々な方法を入手することができる。さらに、ここにおいて説明される方法及び技法をデバイスに提供するためのいずれのその他の適切な技法も利用可能である。
【００９８】
請求項は、上記の正確な構成及びコンポーネントに限定されないことが理解されるべきである。ここにおいて説明されるシステム、方法、及び装置の編成、動作及び詳細の様々な修正、変更及び変形を請求項の範囲を逸脱することなしに行うことができる。
【図１】
2014511061.tif 000004
【図２】
2014511061.tif 000005
【図３】
2014511061.tif 000006
【図４】
2014511061.tif 000007
【図５】
2014511061.tif 000008
【図６】
2014511061.tif 000009
【図７】
2014511061.tif 000010
【図８】
2014511061.tif 000011
【図９】
2014511061.tif 000012
【図１０】
2014511061.tif 000013
【図１１】
2014511061.tif 000014
【図１２】
2014511061.tif 000015
【図１３】
2014511061.tif 000016
【図１４】
2014511061.tif 000017
【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
不良なユーザ経験及び切断される音声呼を防止するための方法であって、前記方法は、アクセスポイントによって実施され、
複数の無線通信デバイスから受信された複数の報告を用いて不良な受信信号を有する第１のダウンリンクアドバンスト受信機性能（ＤＡＲＰ）以前の無線通信デバイスを特定することと、
前記アクセスポイントが第２の無線通信デバイスよりも好ましい電力不均衡を前記第１のＤＡＲＰ以前の無線通信デバイスに与えるようにサブチャネル電力不均衡比を調整することであって、前記第２の無線通信デバイスは、前記第１のＤＡＲＰ以前の無線通信デバイスと対にされ、前記サブチャネル電力不均衡比を調整することは、前記第１のＤＡＲＰ以前の無線通信デバイスによる音声呼が本来であれば切断されるのを切断されないように防止すること、とを備える、方法。
【請求項２】
前記アクセスポイントは、１つのスロットでの適応型マルチユーザチャネルを通じての音声サービスを使用するように構成される請求項１に記載の方法。
【請求項３】
１つのスロットにおいて関連付けられた制御チャネルとともに最大で４つの送信チャネル／ハーフレートチャネルを使用することをさらに備える請求項２に記載の方法。
【請求項４】
前記１つのスロットでの適応型マルチユーザチャネルを通じての音声サービスは、適応型四位相偏移変調を使用する請求項２に記載の方法。
【請求項５】
前記報告は、低速の関連付けられた制御チャネル報告である請求項１に記載の方法。
【請求項６】
前記第１のＤＡＲＰ以前の無線通信デバイスは、１つのスロットでの適応型マルチユーザチャネルを通じての音声サービスモードで動作するように構成される請求項１に記載の方法。
【請求項７】
前記第２の無線通信デバイスは、前記サブチャネル電力不均衡比の前記調整中に１つのバーストを逸する請求項１に記載の方法。
【請求項８】
前記第１のＤＡＲＰ以前の無線通信デバイスに好ましい電力不均衡を与える前記アクセスポイントは、前記第１のＤＡＲＰ以前の無線通信デバイスに時折のランダムな好ましい電力不均衡を与えることを備える請求項１に記載の方法。
【請求項９】
サブチャネル電力不均衡比を調整することは、前記第１のＤＡＲＰ以前の無線通信デバイスにガウス最小偏移変調を与える請求項１に記載の方法。
【請求項１０】
サブチャネル電力不均衡比を調整することは、前記第１のＤＡＲＰ以前の無線通信デバイスに好ましい適応型四位相偏移変調を与える請求項１に記載の方法。
【請求項１１】
不良なユーザ経験及び切断される音声呼を防止するための装置であって、
プロセッサと、
前記プロセッサと電子通信するメモリと、
前記メモリに格納された命令と、を備え、前記命令は、
複数の無線通信デバイスから受信された複数の報告を用いて不良な受信信号を有する第１のダウンリンクアドバンスト受信機性能（ＤＡＲＰ）以前の無線通信デバイスを特定し、及び
前記装置が第２の無線通信デバイスよりも好ましい電力不均衡を前記第１のＤＡＲＰ以前の無線通信デバイスに与えるようにサブチャネル電力不均衡比を調整するために前記プロセッサによって実行可能であり、前記第２の無線通信デバイスは、前記第１のＤＡＲＰ以前の無線通信デバイスと対にされ、前記サブチャネル電力不均衡比を調整することは、前記第１のＤＡＲＰ以前の無線通信デバイスによる音声呼が本来であれば切断されるのを切断されないように防止する、装置。
【請求項１２】
前記装置は、基地局であり、前記装置は、１つのスロットでの適応型マルチユーザチャネルを通じての音声サービスを使用するように構成される請求項１１に記載の装置。
【請求項１３】
１つのスロットにおいて関連付けられた制御チャネルとともに最大で４つの送信チャネル／ハーフレートチャネルを使用するための前記プロセッサにより実行可能である命令をさらに備える請求項１２に記載の装置。
【請求項１４】
前記１つのスロットでの適応型マルチユーザチャネルを通じての音声サービスは、適応型四位相偏移変調を使用する請求項１２に記載の装置。
【請求項１５】
前記報告は、低速の関連付けられた制御チャネル報告である請求項１１に記載の装置。
【請求項１６】
前記第１のＤＡＲＰ以前の無線通信デバイスは、１つのスロットでの適応型マルチユーザチャネルを通じての音声サービスモードで動作する請求項１１に記載の装置。
【請求項１７】
前記第２の無線通信デバイスは、前記サブチャネル電力不均衡比の前記調整中に１つのバーストを逸する請求項１１に記載の装置。
【請求項１８】
前記第１のＤＡＲＰ以前の無線通信デバイスに好ましい電力不均衡を与える前記装置は、前記第１のＤＡＲＰ以前の無線通信デバイスに時折のランダムな好ましい電力不均衡を与えることを備える請求項１１に記載の装置。
【請求項１９】
サブチャネル電力不均衡比を調整することは、前記第１のＤＡＲＰ以前の無線通信デバイスにガウス最小偏移変調を与える請求項１１に記載の装置。
【請求項２０】
サブチャネル電力不均衡比を調整することは、前記第１のＤＡＲＰ以前の無線通信デバイスに好ましい適応型四位相偏移変調を与える請求項１１に記載の装置。
【請求項２１】
不良なユーザ経験及び切断される音声呼を防止するための無線デバイスであって、
複数の無線通信デバイスから受信された複数の報告を用いて不良な受信信号を有する第１のダウンリンクアドバンスト受信機性能（ＤＡＲＰ）以前の無線通信デバイスを特定するための手段と、
前記無線デバイスが第２の無線通信デバイスよりも好ましい電力不均衡を前記第１のＤＡＲＰ以前の無線通信デバイスに与えるようにサブチャネル電力不均衡比を調整するための手段であって、前記第２の無線通信デバイスは、前記第１のＤＡＲＰ以前の無線通信デバイスと対にされ、前記サブチャネル電力不均衡比を調整することは、前記第１のＤＡＲＰ以前の無線通信デバイスによる音声呼が本来であれば切断されるのを切断されないように防止する手段と、を備える、無線デバイス。
【請求項２２】
前記無線デバイスは、基地局であり、前記無線デバイスは、１つのスロットでの適応型マルチユーザチャネルを通じての音声サービスを使用するように構成される請求項２１に記載の無線デバイス。
【請求項２３】
１つのスロットにおいて関連付けられた制御チャネルとともに最大で４つの送信チャネル／ハーフレートチャネルを使用するための手段をさらに備える請求項２２に記載の無線デバイス。
【請求項２４】
前記１つのスロットでの適応型マルチユーザチャネルを通じての音声サービスは、適応型四位相偏移変調を使用する請求項２２に記載の無線デバイス。
【請求項２５】
不良なユーザ経験及び切断される音声呼を防止するためのコンピュータプログラム製品であって、前記コンピュータプログラム製品は、命令を有する非一時的なコンピュータによって読み取り可能な媒体を備え、前記命令は、
複数の無線通信デバイスから受信された複数の報告を用いて不良な受信信号を有する第１のダウンリンクアドバンスト受信機性能（ＤＡＲＰ）以前の無線通信デバイスを特定することを基地局に行わせるためのコードと、
前記基地局が第２の無線通信デバイスよりも好ましい電力不均衡を前記第１のＤＡＲＰ以前の無線通信デバイスに与えるようにサブチャネル電力不均衡比を調整することを前記基地局に行わせるためのコードであって、前記第２の無線通信デバイスは、前記第１のＤＡＲＰ以前の無線通信デバイスと対にされ、前記サブチャネル電力不均衡比を調整することは、前記第１のＤＡＲＰ以前の無線通信デバイスによる音声呼が本来であれば切断されるのを切断されないように防止するコードと、を備える、コンピュータプログラム製品。
【請求項２６】
前記アクセスポイントは、基地局であり、前記基地局は、１つのスロットでの適応型マルチユーザチャネルを通じての音声サービスを使用する請求項２５に記載のコンピュータプログラム製品。
【請求項２７】
１つのスロットにおいて関連付けられた制御チャネルとともに最大で４つの送信チャネル／ハーフレートチャネルを使用することを前記アクセスポイントに行わせるためのコードをさらに備える請求項２６に記載のコンピュータプログラム製品。
【請求項２８】
前記１つのスロットでの適応型マルチユーザチャネルを通じての音声サービスは、適応型四位相偏移変調を使用する請求項２６に記載のコンピュータプログラム製品。
【請求項２９】
不良なユーザ経験及び切断される音声呼を防止するために構成されたダウンリンクアドバンスト受信機性能（ＤＡＲＰ）以前の無線通信デバイスであって、
プロセッサと、
前記プロセッサと電子通信するメモリと、
前記メモリに格納された命令と、を備え、前記命令は、
基地局によって実装された適応型四位相偏移変調およびサブチャネル電力不均衡比の変化を識別し、及び
前記変化により適応型バースト処理を実施するために前記プロセッサによって実行可能であり、前記適応型バースト処理は、音声呼が切断されるのを防止する、無線デバイス。
【請求項３０】
前記適応型バースト処理は、音声呼が切断されるのを防止するビット誤り率を提供する請求項２９に記載の無線デバイス。
【請求項３１】
前記適応型バースト処理は、音声呼が切断されるのを防止するフレーム誤り率を提供する請求項２９に記載の無線デバイス。
【請求項３２】
不良なユーザ経験及び切断される音声呼を防止するためのダウンリンクアドバンスト受信機性能（ＤＡＲＰ）以前の無線デバイスであって、
基地局によって実装された適応型四相位相偏移変調およびサブチャネル電力不均衡比の変化を識別するための手段と、
前記変化により適応型バースト処理を実施するための手段であって、前記適応型バースト処理は音声呼が切断されるのを防止する手段と、を備える、無線デバイス。
【請求項３３】
前記適応型バースト処理は、音声呼が切断されるのを防止するビット誤り率を提供する請求項３２に記載の無線デバイス。
【請求項３４】
前記適応型バースト処理は、音声呼が切断されるのを防止するフレーム誤り率を提供する請求項３２に記載の無線デバイス。
【手続補正２】
【補正対象書類名】明細書
【補正対象項目名】００９８
【補正方法】変更
【補正の内容】
【００９８】
請求項は、上記の正確な構成及びコンポーネントに限定されないことが理解されるべきである。ここにおいて説明されるシステム、方法、及び装置の編成、動作及び詳細の様々な修正、変更及び変形を請求項の範囲を逸脱することなしに行うことができる。
以下に、本願出願の当初の特許請求の範囲に記載された発明を付記する。
［Ｃ１］
不良なユーザ経験及び切断される音声呼を防止するための方法であって、前記方法は、アクセスポイントによって実施され、
複数の無線通信デバイスから受信された複数の報告を用いて不良な受信信号を有する第１の無線通信デバイスを特定することと、
前記アクセスポイントが第２の無線通信デバイスよりも好ましい電力不均衡を第１の無線通信デバイスに与えるようにサブチャネル電力不均衡比を調整することであって、前記第２の無線通信デバイスは、前記第１の無線通信デバイスと対にされ、前記サブチャネル電力不均衡比を調整することは、前記第１の無線通信デバイスによる音声呼が本来であれば切断されるのを切断されないように防止する、方法。
［Ｃ２］
前記アクセスポイントは、１つのスロットでの適応型マルチユーザチャネルを通じての音声サービスを使用するように構成される請求項１に記載の方法。
［Ｃ３］
前記１つのスロットでの適応型マルチユーザチャネルを通じての音声サービスは、前記アクセスポイントが１つのスロットにおいて関連付けられた制御チャネルとともに最大で４つの送信チャネル／ハーフレートチャネルをサポートするのを可能にする請求項２に記載の方法。
［Ｃ４］
前記１つのスロットでの適応型マルチユーザチャネルを通じての前記音声サービスは、適応型四位相偏移変調を使用する請求項２に記載の方法。
［Ｃ５］
前記報告は、低速の関連付けられた制御チャネル報告である請求項１に記載の方法。
［Ｃ６］
前記第１の無線通信デバイスは、レガシー無線通信デバイスである請求項１に記載の方法。
［Ｃ７］
前記第１の無線通信デバイスは、ダウンリンクアドバンスト受信機性能無線通信デバイスである請求項１に記載の方法。
［Ｃ８］
前記第１の無線通信デバイスは、１つのスロットでの適応型マルチユーザチャネルを通じての音声サービスモードで動作することが許容される請求項１に記載の方法。
［Ｃ９］
前記第２の無線通信デバイスは、前記サブチャネル電力不均衡比の前記調整中に１つのバーストを逸する請求項１に記載の方法。
［Ｃ１０］
前記第１の無線通信デバイスに好ましい電力不均衡を与える前記アクセスポイントは、前記第１の無線通信デバイスに時折のランダムな好ましい電力不均衡を与えることを備える請求項１に記載の方法。
［Ｃ１１］
サブチャネル電力不均衡比を調整することは、前記第１の無線通信デバイスにガウス最小偏移変調を与える請求項１に記載の方法。
［Ｃ１２］
サブチャネル電力不均衡比を調整することは、前記第１の無線通信デバイスに好ましい適応型四位相偏移変調を与える請求項１に記載の方法。
［Ｃ１３］
不良なユーザ経験及び切断される音声呼を防止するための装置であって、
プロセッサと、
前記プロセッサと電子通信するメモリと、
前記メモリに格納された命令と、を備え、前記命令は、
複数の無線通信デバイスから受信された複数の報告を用いて不良な受信信号を有する第１の無線通信デバイスを特定し、及び
前記装置が第２の無線通信デバイスよりも好ましい電力不均衡を前記第１の無線通信デバイスに与えるようにサブチャネル電力不均衡比を調整するためにプロセッサによって実行可能であり、前記第２の無線通信デバイスは、前記第１の無線通信デバイスと対にされ、前記サブチャネル電力不均衡比を調整することは、前記第１の無線通信デバイスによる音声呼が本来であれば切断されるのを切断されないように防止する、装置。
［Ｃ１４］
前記装置は、基地局であり、前記装置は、１つのスロットでの適応型マルチユーザチャネルを通じての音声サービスを使用するように構成される請求項１３に記載の装置。
［Ｃ１５］
前記１つのスロットでの適応型マルチユーザチャネルを通じての音声サービスは、前記装置が１つのスロットにおいて関連付けられた制御チャネルとともに最大で４つの送信チャネル／ハーフレートチャネルをサポートするのを可能にする請求項１４に記載の装置。
［Ｃ１６］
前記１つのスロットでの適応型マルチユーザチャネルを通じての音声サービスは、適応型四位相偏移変調を使用する請求項１４に記載の装置。
［Ｃ１７］
前記報告は、低速の関連付けられた制御チャネル報告である請求項１３に記載の装置。
［Ｃ１８］
前記第１の無線通信デバイスは、レガシー無線通信デバイスである請求項１３に記載の装置。
［Ｃ１９］
前記第１の無線通信デバイスは、ダウンリンクアドバンスト受信機性能無線通信デバイスである請求項１３に記載の装置。
［Ｃ２０］
前記第１の無線通信デバイスは、１つのスロットでの適応型マルチユーザチャネルを通じての音声サービスモードで動作する請求項１３に記載の装置。
［Ｃ２１］
前記第２の無線通信デバイスは、前記サブチャネル電力不均衡比の前記調整中に１つのバーストを逸する請求項１３に記載の装置。
［Ｃ２２］
前記第１の無線通信デバイスに好ましい電力不均衡を与える前記装置は、前記第１の無線通信デバイスに時折のランダムな好ましい電力不均衡を与えることを備える請求項１３に記載の装置。
［Ｃ２３］
サブチャネル電力不均衡比を調整することは、前記第１の無線通信デバイスにガウス最小偏移変調を与える請求項１３に記載の装置。
［Ｃ２４］
サブチャネル電力不均衡比を調整することは、前記第１の無線通信デバイスに好ましい適応型四位相偏移変調を与える請求項１３に記載の装置。
［Ｃ２５］
不良なユーザ経験及び切断される音声呼を防止するための無線デバイスであって、
複数の無線通信デバイスから受信された複数の報告を用いて不良な受信信号を有する第１の無線通信デバイスを特定するための手段と、
前記無線デバイスが第２の無線通信デバイスよりも好ましい電力不均衡を前記第１の無線通信デバイスに与えるようにサブチャネル電力不均衡比を調整するための手段であって、前記第２の無線通信デバイスは、前記第１の無線通信デバイスと対にされ、前記サブチャネル電力不均衡比を調整することは、前記第１の無線通信デバイスによる音声呼が本来であれば切断されるのを切断されないように防止する手段と、を備える、無線デバイス。
［Ｃ２６］
前記無線デバイスは、基地局であり、前記無線デバイスは、１つのスロットでの適応型マルチユーザチャネルを通じての音声サービスを使用するように構成される請求項２５に記載の無線デバイス。
［Ｃ２７］
前記１つのスロットでの適応型マルチユーザチャネルを通じての音声サービスは、前記無線デバイスが１つのスロットにおいて関連付けられた制御チャネルとともに最大で４つの送信チャネル／ハーフレートチャネルをサポートするのを可能にする請求項２６に記載の無線デバイス。
［Ｃ２８］
前記１つのスロットでの適応型マルチユーザチャネルを通じての音声サービスは、適応型四位相偏移変調を使用する請求項２６に記載の無線デバイス。
［Ｃ２９］
不良なユーザ経験及び切断される音声呼を防止するためのコンピュータプログラム製品であって、前記コンピュータプログラム製品は、命令を有する非一時的なコンピュータによって読み取り可能な媒体を備え、前記命令は、
複数の無線通信デバイスから受信された複数の報告を用いて不良な受信信号を有する第１の無線通信デバイスを特定することをアクセスポイントに行わせるためのコードと、
前記基地局が第２の無線通信デバイスよりも好ましい電力不均衡を前記第１の無線通信デバイスに与えるようにサブチャネル電力不均衡比を調整することを前記アクセスポイントに行わせるためのコードであって、前記第２の無線通信デバイスは、前記第１の無線通信デバイスと対にされ、前記サブチャネル電力不均衡比を調整することは、前記第１の無線通信デバイスによる音声呼が本来であれば切断されるのを切断されないように防止するコードと、を備える、コンピュータプログラム製品。
［Ｃ３０］
前記アクセスポイントは、基地局であり、前記基地局は、１つのスロットでの適応型マルチユーザチャネルを通じての音声サービスを使用する請求項２９に記載のコンピュータプログラム製品。
［Ｃ３１］
前記１つのスロットでの適応型マルチユーザチャネルを通じての音声サービスは、前記基地局が１つのスロットにおいて関連付けられた制御チャネルとともに最大で４つの送信チャネル／ハーフレートチャネルをサポートするのを可能にする請求項３０に記載のコンピュータプログラム製品。
［Ｃ３２］
前記１つのスロットでの適応型マルチユーザチャネルを通じての音声サービスは、適応型四位相偏移変調を使用する請求項３０に記載のコンピュータプログラム製品。
［Ｃ３３］
不良なユーザ経験及び切断される音声呼を防止するために構成された装置であって、
プロセッサと、
前記プロセッサと電子通信するメモリと、
前記メモリに格納された命令と、を備え、前記命令は、
基地局によって実装された適応型四位相偏移変調／サブチャネル電力不均衡比の変化を識別し、及び
前記変化により適応型バースト処理を実施するために前記プロセッサによって実行可能である、装置。
［Ｃ３４］
前記装置は、無線通信デバイスである請求項３３に記載の装置。
［Ｃ３５］
前記適応型バースト処理は、音声呼が切断されるのを防止するビット誤り率を提供する請求項３３に記載の装置。
［Ｃ３６］
前記適応型バースト処理は、音声呼が切断されるのを防止するフレーム誤り率を提供する請求項３３に記載の装置。
［Ｃ３７］
不良なユーザ経験及び切断される音声呼を防止するための無線デバイスであって、
基地局によって実装された適応型四相位相偏移変調／サブチャネル電力不均衡比の変化を識別するための手段と、
前記変化により適応型バースト処理を実施するための手段と、を備える、無線デバイス。
［Ｃ３８］
前記無線デバイスは、無線通信デバイスである請求項３７に記載の無線デバイス。
［Ｃ３９］
前記適応型バースト処理は、音声呼が切断されるのを防止するビット誤り率を提供する請求項３８に記載の無線デバイス。
［Ｃ４０］
前記適応型バースト処理は、音声呼が切断されるのを防止するフレーム誤り率を提供する請求項３９に記載の無線デバイス。
【国際調査報告】
2014511061.tif 000018
2014511061.tif 000019
2014511061.tif 000020